(57)【要約】【課題】光学部材の脱落を抑制する。【解決手段】光学部材保持構造ＬＨは、光学部材と、光学部材の板面に沿う板状部１５ａを有するシャーシ１５と、一対の第１延在部２５と一対の第１延在部２５における同じ側の端部に連なる第２延在部２６とからなるフレーム本体２３と、フレーム本体２３をなす一対の第１延在部２５に対して連結される連結延在部２４とを有するフレーム１３と、フレーム本体２３をなす一対の第１延在部２５とシャーシ１５とにそれぞれ設けられ、互いに凹凸嵌合することで一対の第１延在部２５が開くよう相対変位するのを規制する規制構造３２と、を備える。【選択図】図４
2015022059.tif 000002
【特許請求の範囲】
【請求項１】
方形の板状をなす光学部材と、
前記光学部材の板面に沿う板状部を有するシャーシと、
前記光学部材の外周端部に倣う形で枠状をなすとともに、前記シャーシの前記板状部との間で前記光学部材の外周端部を挟持するフレームであって、前記光学部材の外周端部に含まれる３つの辺部のうちの対辺をなす一対の辺部に沿って延在する一対の第１延在部と、前記一対の第１延在部における同じ側の端部に連なるとともに前記光学部材の前記３つの辺部のうちの前記一対の辺部に挟まれた辺部に沿って延在する第２延在部とからなるフレーム本体と、前記光学部材の外周端部のうちの前記３つの辺部を除いた残りの辺部に沿って延在するとともに前記フレーム本体をなす前記一対の第１延在部に対して連結される連結延在部とを有するフレームと、
前記フレーム本体をなす前記一対の第１延在部と前記シャーシとにそれぞれ設けられ、互いに凹凸嵌合することで前記一対の第１延在部が開くよう相対変位するのを規制する規制構造と、を備える光学部材保持構造。
【請求項２】
前記規制構造は、前記光学部材と重畳する位置に配されている請求項１記載の光学部材保持構造。
【請求項３】
前記規制構造は、前記シャーシの前記板状部に形成されて前記光学部材側とは反対側に突出する規制凸部と、前記フレーム本体をなす前記一対の第１延在部に形成されて前記規制凸部を受け入れる規制凹部とからなる請求項２記載の光学部材保持構造。
【請求項４】
前記規制凸部は、前記シャーシの前記板状部における端部に配されている請求項３記載の光学部材保持構造。
【請求項５】
前記フレーム本体は、前記シャーシの前記板状部との間で前記光学部材を挟持する挟持部と、前記シャーシの前記板状部を前記光学部材側とは反対側から受けることが可能な受け部と、前記一対の第１延在部における前記第２延在部側とは反対側の端部間に形成され、前記光学部材及び前記シャーシを、前記第１延在部の延在方向に沿って前記挟持部と前記受け部との間に差し込むことが可能な開口部とを有しており、
前記規制構造は、前記一対の第１延在部における前記開口部側の端部と、前記シャーシにおける前記一対の第１延在部に対する差し込み方向の前端部とに少なくとも配されている請求項１から請求項４のいずれか１項に記載の光学部材保持構造。
【請求項６】
前記規制構造は、前記一対の第１延在部と前記シャーシとのいずれか一方側に形成された規制凸部と、他方側に形成されて前記シャーシが前記開口部に差し込まれるのに伴って前記規制凸部を受け入れる規制凹部とから構成されており、
前記規制凸部と前記規制凹部との少なくともいずれか一方における相手側が導入される側の端部には、相手側の導入を案内する案内面が形成されている請求項５記載の光学部材保持構造。
【請求項７】
前記規制構造は、前記一対の第１延在部の延在方向についての中央部と、前記シャーシにおける前記一対の第１延在部の延在方向についての中央部とに少なくとも配されている請求項１から請求項６のいずれか１項に記載の光学部材保持構造。
【請求項８】
前記規制構造は、前記一対の第１延在部と前記シャーシとのいずれか一方側に形成された規制凸部と、他方側に形成されて前記規制凸部を受け入れる規制凹部とから構成されており、
前記規制凸部と前記規制凹部との対向面のうち、内側の対向面が互いに当接されるのに対し、外側の対向面が互いに離間する形で配されている請求項１から請求項７のいずれか１項に記載の光学部材保持構造。
【請求項９】
請求項１から請求項８のいずれか１項に記載の光学部材保持構造と、前記シャーシに収容されるとともに前記光学部材に光を供給する光源とを備える照明装置。
【請求項１０】
前記光学部材には、少なくとも前記光源からの光を導光する導光板が含まれており、
前記光源は、前記シャーシにおいて前記第２延在部と前記連結延在部との少なくともいずれか一方と重なり合う位置に選択的に配される請求項９記載の照明装置。
【請求項１１】
前記シャーシには、前記一対の第１延在部の延在方向について前記光源に対して前記導光板を位置決めする位置決め部が設けられている請求項１０記載の照明装置。
【請求項１２】
前記光源は、前記シャーシにおいて前記連結延在部と重なり合う位置に選択的に配される請求項１０または請求項１１記載の照明装置。
【請求項１３】
請求項１から請求項８のいずれか１項に記載の光学部材保持構造と、前記光学部材に少なくとも含まれる表示パネルとを備える表示装置。
【請求項１４】
前記シャーシに収容される光源と、前記光学部材に少なくとも含まれるとともに前記光源からの光を導光する導光板とを少なくとも有してなる照明装置が備えられており、
前記表示パネル及び前記導光板の外周端部が前記シャーシと前記フレームとの間に挟持される請求項１３記載の表示装置。
【請求項１５】
請求項１３または請求項１４に記載の表示装置を備えるテレビ受信装置。
【発明の詳細な説明】
【技術分野】
【０００１】
本発明は、光学部材保持構造、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。液晶表示装置の一層の薄型化を実現するには、エッジライト型のバックライト装置を用いるのが好ましく、その一例として下記特許文献１に記載されたものが知られている。
【先行技術文献】
【特許文献】
【０００３】
【特許文献１】特開２００９−５８９１５号公報
【発明の概要】
【発明が解決しようとする課題】
【０００４】
上記した特許文献１には、スライド取付金具にバックカバーを取り付けるための固定ネジを取り付けることで、狭額縁化を図るようにした液晶表示装置が記載されている。
ところで、液晶表示装置の狭額縁化がさらに進行すると、液晶パネルに対するフレームの掛かり代がごく僅かなものとなるため、フレームに撓みなどが生じると、掛かりが不十分となり易く、液晶パネルが脱落するおそれがあった。
【０００５】
本発明は上記のような事情に基づいて完成されたものであって、光学部材の脱落を抑制することを目的とする。
【課題を解決するための手段】
【０００６】
本発明の光学部材保持構造は、方形の板状をなす光学部材と、前記光学部材の板面に沿う板状部を有するシャーシと、前記光学部材の外周端部に倣う形で枠状をなすとともに、前記シャーシの前記板状部との間で前記光学部材の外周端部を挟持するフレームであって、前記光学部材の外周端部に含まれる３つの辺部のうちの対辺をなす一対の辺部に沿って延在する一対の第１延在部と、前記一対の第１延在部における同じ側の端部に連なるとともに前記光学部材の前記３つの辺部のうちの前記一対の辺部に挟まれた辺部に沿って延在する第２延在部とからなるフレーム本体と、前記光学部材の外周端部のうちの前記３つの辺部を除いた残りの辺部に沿って延在するとともに前記フレーム本体をなす前記一対の第１延在部に対して連結される連結延在部とを有するフレームと、前記フレーム本体をなす前記一対の第１延在部と前記シャーシとにそれぞれ設けられ、互いに凹凸嵌合することで前記一対の第１延在部が開くよう相対変位するのを規制する規制構造と、を備える。
【０００７】
このように、光学部材は、その外周端部がシャーシの板状部とフレームとの間に挟持されており、詳しくは光学部材の外周端部に含まれる３つの辺部のうちの対辺をなす一対の辺部がフレーム本体を構成する一対の第１延在部と板状部との間に、上記３つの辺部のうちの上記一対の辺部に挟まれた辺部がフレーム本体を構成する第２延在部と板状部との間に、光学部材の外周端部のうち上記３つの辺部を除いた残りの辺部が一対の第１延在部に対して連結される連結延在部と板状部との間に、それぞれ挟持される。フレーム本体は、第２延在部に一対の第１延在部が連なる構成とされているため、例えば光学部材やシャーシを、一対の第１延在部に対して第２延在部側とは反対側から差し込むようにして組み付けた場合、一対の第１延在部が開くようにして変形することが懸念される。その点、フレーム本体をなす一対の第１延在部とシャーシとには、互いに凹凸嵌合することで一対の第１延在部が開くよう相対変位するのを規制する規制構造が設けられているから、一対の第１延在部の開き変形が抑制され、それにより一対の第１延在部と板状部との間で光学部材をしっかりと挟持することができる。フレーム本体に連結延在部を連結した状態においても、規制構造によって一対の第１延在部の開きが規制されるから、光学部材の脱落を好適に抑制することができる。特に、狭額縁化が進行し、光学部材の外周端部に対するフレームの掛かり代が狭小化した場合においても、規制構造によって一対の第１延在部が開くよう相対変位するのを規制することで、光学部材の外周端部からフレームが外れる事態を生じ難くすることができ、もって狭額縁化に好適となる。また、規制構造は、一対の第１延在部とシャーシとに設けられており、光学部材には設けられることがないので、光学部材の光学性能に悪影響が及ぶことが回避されている。
【０００８】
本発明の光学部材保持構造の実施態様として、次の構成が好ましい。
（１）前記規制構造は、前記光学部材と重畳する位置に配されている。このようにすれば、仮に規制構造が光学部材とは非重畳の配置とされた場合には、規制構造の配置スペースの分だけ額縁が広くなるのに比べると、狭額縁化を図るのにより好適とされる。
【０００９】
（２）前記規制構造は、前記シャーシの前記板状部に形成されて前記光学部材側とは反対側に突出する規制凸部と、前記フレーム本体をなす前記一対の第１延在部に形成されて前記規制凸部を受け入れる規制凹部とからなる。このようにすれば、仮にシャーシ側に規制凹部を設けた場合には、規制構造が光学部材と重畳する配置とされている都合上、規制凹部の凹み寸法を十分に確保するのが難しくなるのに比べると、シャーシの板状部に形成した規制凸部の突出寸法と、フレーム本体をなす一対の第１延在部に形成した規制凹部の凹み寸法とをそれぞれ十分に確保するのが容易になり、もって第１延在部の開き規制機能を十分に発揮することができる。
【００１０】
（３）前記規制凸部は、前記シャーシの前記板状部における端部に配されている。このようにすれば、仮に規制凸部を板状部における中央側部分に設けた場合に比べると、規制凸部を容易に形成することができる。
【００１１】
（４）前記フレーム本体は、前記シャーシの前記板状部との間で前記光学部材を挟持する挟持部と、前記シャーシの前記板状部を前記光学部材側とは反対側から受けることが可能な受け部と、前記一対の第１延在部における前記第２延在部側とは反対側の端部間に形成され、前記光学部材及び前記シャーシを、前記第１延在部の延在方向に沿って前記挟持部と前記受け部との間に差し込むことが可能な開口部とを有しており、前記規制構造は、前記一対の第１延在部における前記開口部側の端部と、前記シャーシにおける前記一対の第１延在部に対する差し込み方向の前端部とに少なくとも配されている。このようにすれば、光学部材及びシャーシは、フレーム本体をなす一対の第１延在部における第２延在部側とは反対側の端部に形成された開口部に対して、第１延在部の延在方向に沿って挟持部と受け部との間に差し込まれることで、フレーム本体に対する組み付けがなされる。規制構造は、一対の第１延在部における開口部側の端部と、シャーシにおける一対の第１延在部に対する差し込み方向の前端部とに少なくとも配されているから、光学部材及びシャーシの差し込み作業における初期段階において一対の第１延在部が開くよう相対変位するのが規制される。これにより、フレームに対する光学部材及びシャーシの組付作業性が良好なものとなる。
【００１２】
（５）前記規制構造は、前記一対の第１延在部と前記シャーシとのいずれか一方側に形成された規制凸部と、他方側に形成されて前記シャーシが前記開口部に差し込まれるのに伴って前記規制凸部を受け入れる規制凹部とから構成されており、前記規制凸部と前記規制凹部との少なくともいずれか一方における相手側が導入される側の端部には、相手側の導入を案内する案内面が形成されている。このようにすれば、シャーシが一対の第１延在部における開口部に差し込まれる初期段階において、規制凸部が規制凹部に受け入れられる。このとき、規制凸部と規制凹部とのいずれかが相手側に対して導入される際に、案内面によりその導入が案内されるから、シャーシの組付作業性がより良好なものとなる。
【００１３】
（６）前記規制構造は、前記一対の第１延在部の延在方向についての中央部と、前記シャーシにおける前記一対の第１延在部の延在方向についての中央部とに少なくとも配されている。このようにすれば、フレーム本体に連結延在部を連結した状態では、一対の第１延在部は、その延在方向についての中央部が最も開き易くなっているものの、一対の第１延在部及びシャーシにおける同中央部に規制構造を少なくとも配することで、一対の第１延在部の開きに伴って生じ得る光学部材の脱落を効果的に抑制することができる。
【００１４】
（７）前記規制構造は、前記一対の第１延在部と前記シャーシとのいずれか一方側に形成された規制凸部と、他方側に形成されて前記規制凸部を受け入れる規制凹部とから構成されており、前記規制凸部と前記規制凹部との対向面のうち、内側の対向面が互いに当接されるのに対し、外側の対向面が互いに離間する形で配されている。このようにすれば、規制凸部と規制凹部との対向面のうち、内側の対向面同士が当接されることで、一対の第１延在部が開くよう相対変位するのが良好に規制される。一方、規制凸部と規制凹部との対向面のうち、外側の対向面が互いに離間しているから、シャーシをフレームに対して組み付ける際に、規制凸部が規制凹部内にスムーズに受け入れられ、もって組付作業性が良好なものとなる。
【００１５】
本発明の照明装置は、上記した光学部材保持構造と、前記シャーシに収容されるとともに前記光学部材に光を供給する光源とを備える。このような照明装置によれば、光学部材の脱落が抑制されているから、光学性能を良好に発揮することができる。
【００１６】
本発明の照明装置の実施態様として、次の構成が好ましい。
（１）前記光学部材には、少なくとも前記光源からの光を導光する導光板が含まれており、前記光源は、前記シャーシにおいて前記第２延在部と前記連結延在部との少なくともいずれか一方と重なり合う位置に選択的に配される。このようにすれば、シャーシにおいて第２延在部と連結延在部との少なくともいずれか一方と重なり合う位置に選択的に配された光源からの光が導光板により導光されることで照明光が得られる。光源が少なくとも一対の第１延在部とは重なり合わない配置とされるので、少なくとも一対の第１延在部に関しては狭額縁化を図る上で好適となり、デザイン性に優れる。このように狭額縁化が図られると、光学部材に対する掛かり代が狭小化して光学部材の脱落が懸念されるものの、一対の第１延在部は、規制構造によって開きが規制されているので、狭額縁化が進行しても光学部材が脱落し難くなっている。
【００１７】
（２）前記シャーシには、前記一対の第１延在部の延在方向について前記光源に対して前記導光板を位置決めする位置決め部が設けられている。このようにすれば、位置決め部によって一対の第１延在部の延在方向について光源に対して導光板が位置決めされるから、シャーシをフレームに対して組み付ける際に導光板が光源に干渉するのを防ぐことができる。
【００１８】
（３）前記光源は、前記シャーシにおいて前記連結延在部と重なり合う位置に選択的に配される。このようにすれば、一対の第１延在部に加えて第２延在部についての狭額縁化を図る上で好適となるのでデザイン性により優れる。また、フレーム本体から連結延在部を取り外せば、光源を容易に取り外すことが可能となるので、メンテナンス性に優れる。
【００１９】
本発明の表示装置は、上記した光学部材保持構造と、前記光学部材に少なくとも含まれる表示パネルとを備える。このような表示装置によれば、光学部材に少なくとも含まれる表示パネルの脱落が抑制されているから、表示性能を良好に発揮することができる。
【００２０】
本発明の表示装置の実施態様として、次の構成が好ましい。
（１）前記シャーシに収容される光源と、前記光学部材に少なくとも含まれるとともに前記光源からの光を導光する導光板とを少なくとも有してなる照明装置が備えられており、前記表示パネル及び前記導光板の外周端部が前記シャーシと前記フレームとの間に挟持される。このようにすれば、表示パネル、導光板及びシャーシを互いに重ね合わせた状態で一括してフレームに対して組み付けることが可能とされるので、組付作業性がより良好なものとなる。
【００２１】
本発明のテレビ受信装置は、上記した表示装置を備える。このようなテレビ受信装置によれば、表示装置に備えられる表示パネルの脱落が抑制されているから、テレビ画像に係る表示性能を良好に発揮することができる。
【発明の効果】
【００２２】
本発明によれば、光学部材の脱落を抑制することができる。
【図面の簡単な説明】
【００２３】
【図１】本発明の実施形態１に係るテレビ受信装置の概略構成を示す分解斜視図
【図２】液晶表示装置の平面図
【図３】図２のiii-iii線断面図
【図４】図２のiv-iv線断面図
【図５】フレーム本体と、液晶パネル、導光板、反射シート及びＬＥＤ基板などを組み付けたシャーシと、連結延在部と、を組み付ける前の状態を示す平面図
【図６】シャーシの底面図
【図７】フレーム本体と、液晶パネル、導光板、反射シート及びＬＥＤ基板などを組み付けたシャーシと、を組み付ける前の状態を示す拡大斜視図
【図８】フレーム本体に、液晶パネル、導光板、反射シート及びＬＥＤ基板などを組み付けたシャーシを組み付ける途中の状態を示す斜視図
【図９】図８の拡大斜視図
【図１０】本発明の実施形態２に係るシャーシの底面図
【図１１】本発明の実施形態３に係るフレーム本体と、液晶パネル、導光板、反射シート及びＬＥＤ基板などを組み付けたシャーシと、連結延在部と、を組み付ける前の状態を示す平面図
【図１２】本発明の実施形態４に係るシャーシの底面図
【図１３】本発明の実施形態５に係る規制構造の断面構成を示す断面図
【図１４】シャーシの底面図
【図１５】本発明の実施形態６に係る規制構造の断面構成を示す断面図
【図１６】シャーシの底面図
【図１７】本発明の実施形態７に係る規制構造の断面構成を示す断面図
【図１８】シャーシの底面図
【図１９】本発明の実施形態８に係る規制構造の断面構成を示す断面図
【図２０】本発明の実施形態９に係る規制構造の断面構成を示す断面図
【図２１】本発明の実施形態１０に係るバックライト装置の断面構成を示す断面図
【図２２】本発明の実施形態１１に係る有機ＥＬ表示装置の断面構成を示す断面図
【発明を実施するための形態】
【００２４】
＜実施形態１＞
本発明の実施形態１を図１から図９によって説明する。本実施形態では、光学部材保持構造ＬＨを有する液晶表示装置１０について例示する。なお、各図面の一部にはＸ軸、Ｙ軸及びＺ軸を示しており、各軸方向が各図面で示した方向となるように描かれている。また、図３及び図４に示す上側を表側とし、同図下側を裏側とする。
【００２５】
本実施形態に係る液晶表示装置１０は、図１に示すように、表示パネル（表示部品）である液晶パネル１１と、液晶パネル１１に照明光を供給する照明装置であるバックライト装置１２と、少なくとも液晶パネル１１を表側から支持するフレーム１３と、フレーム１３との間で液晶パネル１１及びバックライト装置１２を挟み込んで保持するバックキャビネット（背面側筐体部材）１４と、を少なくとも備えてなる。このうち、液晶パネル１１は、画像を表示する表示面が表側を向いた姿勢で液晶表示装置１０に組み付けられており、その裏側に配されたバックライト装置１２から供給される照明光を利用して表示面に画像を表示することが可能な「光学部材」とされる。そして、テレビ受信装置ＴＶは、上記した液晶表示装置１０に加えて、テレビ画像信号を受信可能なチューナ基板Ｔを少なくとも備えており、液晶パネル１１の表示面にテレビ画像を表示することが可能とされる。チューナ基板Ｔは、バックライト装置１２とバックキャビネット１４との間に有される空間内に収容される。
【００２６】
液晶パネル１１は、図１及び図２に示すように、平面に視て横長の方形（長方形）をなしており、透光性に優れた一対のガラス製の基板が所定のギャップを隔てた状態で貼り合わせられるとともに、両基板間に液晶が封入された構成とされる。液晶パネル１１は、その長辺方向がＸ軸方向と、短辺方向がＹ軸方向と、厚さ方向がＺ軸方向とそれぞれ一致する姿勢で液晶表示装置１０に組み込まれている。一対の基板のうち、一方の基板（アレイ基板）には、互いに直交するソース配線とゲート配線とに接続されたスイッチング素子（例えばＴＦＴ）と、そのスイッチング素子に接続された画素電極、さらには配向膜等が設けられ、他方の基板（ＣＦ基板）には、Ｒ（赤色），Ｇ（緑色），Ｂ（青色）等の各着色部が所定配列で配置されたカラーフィルタや対向電極、さらには配向膜等が設けられている。この液晶パネル１１は、その表示面が、画面中央側にあって画像が表示可能な表示領域（アクティブエリア）と、画面外周端側にあって表示領域の周りを取り囲む枠状（額縁状）をなす非表示領域（ノンアクティブエリア）とに区分されている。なお、一対の基板の外面側には、表裏一対の偏光板がそれぞれ貼り付けられている。
【００２７】
次にバックライト装置１２について説明する。バックライト装置１２は、図１及び図３に示すように、液晶パネル１１の板面に沿う板状部１５ａを有するシャーシ１５と、シャーシ１５に収容されて光源であるＬＥＤ１６（Ｌｉｇｈｔ  Ｅｍｉｔｔｉｎｇ  Ｄｉｏｄｅ：発光ダイオード）が実装されたＬＥＤ基板（光源基板）１７と、板状部１５ａ上に載置されてＬＥＤ１６からの光を導光する導光板（光学部材）１８と、導光板１８と板状部１５ａとの間に介在する形で配される反射シート（光学部材、反射部材）１９と、導光板１８上に載置される光学シート（光学部材）２０と、を少なくとも備えている。つまり、バックライト装置１２は、液晶パネル１１の直下位置に、光学部材である光学シート２０、導光板１８及び反射シート１９を表側から順に積層配置してなるものとされる。なお、図１では光学シート２０の図示を省略している。このバックライト装置１２は、その長辺側の両端部のうちの一方（図１に示す手前側、図３に示す左側）の端部に、ＬＥＤ基板１７が配されており、そのＬＥＤ基板１７に実装された各ＬＥＤ１６が液晶パネル１１における長辺側の一端部寄りに偏在していることになる。このように、本実施形態に係るバックライト装置１２は、導光板１８に対して片側からのみ入光される片側入光タイプのエッジライト型（サイドライト型）とされている。以下では、バックライト装置１２の各構成部品について詳しく説明する。
【００２８】
シャーシ１５は、金属板材にプレス加工などを施すことで、図１，図３及び図４に示すように、平面に視て液晶パネル１１と同様に横長の方形状をなす板状部（底板部）１５ａと、板状部１５ａにおける一方の長辺側の端部から表側に向けて立ち上がる側板部１５ｂとを有する構成とされる。板状部１５ａは、その長辺方向がＸ軸方向と、短辺方向がＹ軸方向と、板厚方向がＺ軸方向とそれぞれ一致する姿勢とされており、その短辺寸法が導光板１８の短辺寸法よりも大きいものの、長辺寸法が導光板の長辺寸法とほぼ同じかやや小さな大きさとされる。板状部１５ａは、その大部分が導光板１８を反射シート１９と共に裏側（光出射面１８ａ側とは反対側）から支持する導光板支持部１５ａ１とされるのに対し、ＬＥＤ基板１７側の端部が段付き状に裏側に膨出する基板収容部１５ａ２とされる。このうち、基板収容部１５ａ２は、断面形状が略Ｌ字型をなしており、導光板支持部１５ａ１の端部から屈曲されて裏側に向けて立ち上がる立ち上がり部２１と、立ち上がり部２１の立ち上がり先端部から屈曲されて導光板支持部１５ａ１側とは反対側に向けて突出する収容底部２２とからなる。この立ち上がり部２１の立ち上がり位置は、後述する導光板１８の光入射面１８ｂよりもＬＥＤ１６側とは反対側（導光板支持部１５ａ１の中央寄り）に位置している。側板部１５ｂは、基板収容部１５ａ２をなす収容底部２２における立ち上がり部２１側とは反対側の端部から表側に立ち上がるよう屈曲形成されている。そして、この側板部１５ｂには、その内側の板面（導光板１８の光入射面１８ｂに対する対向面）に接する形でＬＥＤ基板１７が取り付けられている。つまり、側板部１５ｂは、ＬＥＤ基板１７が取り付けられる基板取付部を構成している、と言える。
【００２９】
板状部１５ａにおける導光板支持部１５ａ１には、図３及び図４に示すように、後述するバックキャビネット１４をシャーシ１５に対して固定するための第１ねじ部材２８を締め付けるための第１シャフト部材２７がかしめ付けられている。この第１シャフト部材２７は、バックキャビネット１４と導光板支持部１５ａ１との間に介在する形で配されるとともに、第１ねじ部材２８を螺合可能なねじ孔２７ａが螺刻形成されている。第１シャフト部材２７及び第１ねじ部材２８は、導光板支持部１５ａ１及びバックキャビネット１４の板面内において分散して配置されている。また、側板部１５ｂには、後述するフレーム１３をなす連結延在部２４をシャーシ１５に対して固定するための第２ねじ部材３０を締め付けるための第２シャフト部材２９がかしめ付けられている。この第２シャフト部材２９は、連結延在部２４と側板部１５ｂとの間に介在する形で配されるとともに、第２ねじ部材３０を螺合可能なねじ孔２９ａが螺刻形成されている（図３を参照）。第２シャフト部材２９及び第２ねじ部材３０は、連結延在部２４及び側板部１５ｂの延在方向（Ｘ軸方向）に沿って複数が間欠的に並んで配されている。
【００３０】
ＬＥＤ１６は、図３及び図５に示すように、ＬＥＤ基板１７に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１６は、ＬＥＤ基板１７に対する実装面とは反対側の面が主発光面１６ａとなる、いわゆる頂面発光型とされている。
【００３１】
ＬＥＤ基板１７は、図３及び図５に示すように、シャーシ１５の長辺方向（Ｘ軸方向、導光板１８における光入射面１８ｂの長手方向）に沿って延在する細長い板状をなすとともに、その板面をＸ軸方向及びＺ軸方向に並行した姿勢、つまり液晶パネル１１及び導光板１８（光学シート２０）の板面と直交させた姿勢でシャーシ１５内に収容されている。すなわち、このＬＥＤ基板１７は、板面における長辺方向（長さ方向）がＸ軸方向と、短辺方向（幅方向）がＺ軸方向とそれぞれ一致し、さらには板面と直交する板厚方向がＹ軸方向と一致した姿勢とされる。ＬＥＤ基板１７は、ＬＥＤ１６が実装される実装面１７ａとは反対側の板面がシャーシ１５の側板部１５ｂの内面に接する形でそれぞれ取り付けられており、導光板１８における長辺側の端部（光入射面１８ｂ）に対して所定の配置間隔を空けつつ図３に示す左側に並んで配されている。従って、ＬＥＤ１６及びＬＥＤ基板１７と導光板１８との並び方向は、Ｙ軸方向とほぼ一致しており、各ＬＥＤ１６における光軸、つまり発光強度が最も高い光の進行方向がＹ軸方向（液晶パネル１１の板面に並行する方向）とほぼ一致している。
【００３２】
ＬＥＤ基板１７は、図３及び図５に示すように、その内側、つまり導光板１８側を向いた板面（導光板１８との対向面）が、上記した構成のＬＥＤ１６が表面実装された実装面１７ａとされる。ＬＥＤ１６は、ＬＥＤ基板１７の実装面１７ａにおいて、その長さ方向（Ｘ軸方向）に沿って複数が所定の配置間隔を空けつつ一列に（直線的に）並列配置されている。つまり、ＬＥＤ１６は、バックライト装置１２における長辺側の一方の端部において長辺方向に沿って複数が間欠的に並列配置されていると言える。従って、ＬＥＤ１６の並び方向は、ＬＥＤ基板１７及び導光板１８の長さ方向（Ｘ軸方向）と一致していることになる。ＬＥＤ１６の並び方向であるＸ軸方向について隣り合うＬＥＤ１６間の間隔、つまりＬＥＤ１６の配列間隔（配列ピッチ）は、ほぼ等しいものとされる。また、ＬＥＤ基板１７の実装面１７ａには、Ｘ軸方向に沿って延在するとともにＬＥＤ１６群を横切って隣り合うＬＥＤ１６同士を接続する、金属膜（銅箔など）からなる配線パターン（図示せず）が形成されており、この配線パターンの両端部に形成された端子部が外部のＬＥＤ駆動回路基板（図示せず）に配線部材などを介して接続されることで、駆動電力が各ＬＥＤ１６に供給されるようになっている。なお、このＬＥＤ駆動回路基板は、既述したチューナ基板Ｔや液晶パネル１１を駆動するためのパネル駆動回路基板（図示せず）と共にバックライト装置１２とバックキャビネット１４との間に有される空間内に収容されている。このＬＥＤ基板１７の基材は、例えばアルミニウムなどの金属製とされ、その表面に絶縁層を介して既述した配線パターン（図示せず）が形成されている。なお、ＬＥＤ基板１７の基材に用いる材料としては、合成樹脂やセラミックなどの絶縁材料を用いることも可能である。
【００３３】
導光板１８は、屈折率が空気よりも十分に高く且つほぼ透明な（透光性に優れた）合成樹脂材料（例えばＰＭＭＡなどのアクリル樹脂やポリカーボネートなど）からなる。導光板１８は、図１及び図３に示すように、液晶パネル１１及びシャーシ１５と同様に平面に視て横長の方形状をなすとともに光学シート２０よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１８は、シャーシ１５内において液晶パネル１１及び光学シート２０の直下位置に配されており、その外周端面のうちの一方（図１に示す手前側、図３に示す左側）の長辺側の端面がシャーシ１５における長辺側の一端部に配されたＬＥＤ基板１７の各ＬＥＤ１６とそれぞれ対向状をなしている。従って、ＬＥＤ１６（ＬＥＤ基板１７）と導光板１８との並び方向がＹ軸方向と一致するのに対して、光学シート２０（液晶パネル１１）と導光板１８との並び方向がＺ軸方向と一致しており、両並び方向が互いに直交するものとされる。そして、導光板１８は、ＬＥＤ１６からＹ軸方向に向けて発せられた光を導入するとともに、その光を内部で伝播させつつ光学シート２０側（表側）へ向くよう立ち上げて出射させる機能を有する。
【００３４】
導光板１８は、図３及び図５に示すように、シャーシ１５の板状部１５ａ及び光学シート２０の各板面に沿って延在する略平板状をなしており、その板面がＸ軸方向及びＹ軸方向に並行するものとされる。導光板１８の表裏一対の板面のうち、表側を向いた板面（光学シート２０との対向面）が内部の光を光学シート２０及び液晶パネル１１に向けて出射させる光出射面１８ａとなっている。導光板１８における板面に対して隣り合う外周端面のうち、Ｘ軸方向（ＬＥＤ１６の並び方向、ＬＥＤ基板１７の長辺方向）に沿って長手状をなす一対の長辺側の端面のうち、一方（図３に示す左側、図５に示す手前側）の端面は、ＬＥＤ１６（ＬＥＤ基板１７）と所定の空間を空けて対向状をなしており、これがＬＥＤ１６から発せられた光が入射される光入射面１８ｂとなっている。この光入射面１８ｂは、ＬＥＤ１６と対向状をなしていることから、「ＬＥＤ対向端面（光源対向端面）」を構成している、とも言える。これに対して、導光板１８における板面に対して隣り合う外周端面のうち、上記した光入射面１８ｂを除いた他の３つの端面（光入射面１８ｂとは反対側の長辺側の端面、及び一対の短辺側の両端面）は、それぞれＬＥＤ１６とは対向しないＬＥＤ非対向端面（光源非対向端面）とされている。光入射面１８ｂと対向する各ＬＥＤ１６との間の距離は、ほぼ同一とされる。また、光入射面１８ｂは、Ｘ軸方向（ＬＥＤ１６の並び方向）及びＺ軸方向、つまりＬＥＤ基板１７の板面に沿って並行する面とされ、光出射面１８ａに対して略直交する面とされる。また、ＬＥＤ１６と光入射面１８ｂとの並び方向は、Ｙ軸方向と一致しており、光出射面１８ａに並行している。
【００３５】
反射シート１９は、図３に示すように、導光板１８における裏側、つまり光出射面１８ａとは反対側の反対板面（シャーシ１５の板状部１５ａとの対向面）１８ｃを覆う形で配されており、反対板面１８ｃから裏側外部に出射した光を反射して表側へ立ち上げることが可能とされる。言い換えると、反射シート１９は、シャーシ１５の板状部１５ａと導光板１８との間に挟まれた形で配されている。反射シート１９は、平面に視た大きさが導光板１８よりもやや大きなものとされており、導光板１８の反対板面１８ｃをほぼ全域にわたって覆うことが可能とされる。この反射シート１９のうち、導光板１８における光入射面１８ｂ側の端部（一方の長辺側の端部）は、光入射面１８ｂよりも外側、つまりＬＥＤ１６側に向けて延出されている。この反射シート１９の延出部分によりＬＥＤ基板１７と光入射面１８ｂとの間に有される空間に存在する光を反射することで、光入射面１８ｂに対する光の入射効率を高いものとすることができる。また、導光板１８の反対板面１８ｃには、導光板１８内の光を光出射面１８ａに向けて反射させることで光出射面１８ａから出射させるための光反射部からなる光反射パターン（図示せず）が形成されている。この光反射パターンをなす光反射部は、導光板１８の反対板面１８ｃに光反射性材料（例えば酸化チタンなどの金属酸化物を含有する白色を呈するインク）を印刷することで形成される多数のドットからなるものとされており、そのドットの分布密度（反対板面１８ｃにおける単位面積当たりの面積比率）がＹ軸方向について導光板１８の光入射面１８ｂ側の端部からその反対側の端部に近づくほど大きくなるような分布でもって形成されている。
【００３６】
光学シート２０は、図３及び図４に示すように、液晶パネル１１及びシャーシ１５と同様に平面に視て横長の方形状をなしている。光学シート２０は、導光板１８の表側（光出射側）に載せられていて液晶パネル１１と導光板１８との間に介在して配されることで、導光板１８からの出射光を透過するとともにその透過光に所定の光学作用を付与しつつ液晶パネル１１に向けて出射させる。光学シート２０は、導光板１８よりも厚さが薄いシート状をなすとともに複数枚（本実施形態では２枚）が導光板１８の光出射面１８ａ上に積層される形で配されている。具体的な光学シート２０の種類としては、例えば拡散シート、レンズシート、反射型偏光シートなどがあり、これらの中から適宜に選択して使用することが可能である。このような光学シート２０の表側には、既述した液晶パネル１１が直接載置される形で配されている。つまり、本実施形態に係る液晶表示装置１０に備えられて光学部材を構成する液晶パネル１１、光学シート２０、導光板１８及び反射シート１９は、他の部材を介することなく互いに直接的に積層された状態で次述するフレーム１３とシャーシ１５（バックキャビネット１４）との間に挟み込まれて保持されている。このように、本実施形態に係る液晶表示装置１０は、フレーム１３とシャーシ１５との間で液晶パネル１１、光学シート２０、導光板１８、反射シート１９といった光学部材を保持する光学部材保持構造ＬＨを備えている、といえる。
【００３７】
次に、フレーム１３について詳しく説明する。フレーム１３は、金属製（例えばアルミニウム製）とされており、図１及び図５に示すように、バックライト装置１２を構成するシャーシ１５の板状部１５ａ（導光板支持部１５ａ１）との間で、光学部材である液晶パネル１１、光学シート２０、導光板１８及び反射シート１９の外周端部を一括して挟持することが可能とされる。フレーム１３は、液晶パネル１１などの光学部材の外周端部に含まれる３つの辺部に倣う形で略チャンネル型（略門形）をなすフレーム本体２３と、液晶パネル１１などの光学部材の外周端部に含まれる３つの辺部を除いた１つの辺部に沿って延在する連結延在部２４と、の２部品構成とされており、これらフレーム本体２３及び連結延在部２４を連結することで、全体として液晶パネル１１などの光学部材を取り囲む横長の枠状（額縁状）をなしている。なお、図５では、液晶パネル１１及び光学シート２０を二点鎖線により図示している。
【００３８】
フレーム本体２３は、図１及び図５に示すように、液晶パネル１１などの光学部材の外周端部のうち対辺をなす一対の短辺側の端部に沿ってそれぞれ延在する一対の第１延在部２５と、一対の第１延在部２５における同じ側の端部に連なるとともに液晶パネル１１などの光学部材の外周端部のうち一対の短辺側の端部に挟まれた他方（図１及び図５に示す奥側）の長辺側の端部に沿って延在する第２延在部２６とから構成される。つまり、フレーム本体２３は、第２延在部２６の延在方向の両端部から一対の第１延在部２５が同じ側に屈曲されて互いに並行する構成とされている。一対の第１延在部２５は、その延在方向がＹ軸方向と一致するのに対し、第２延在部２６は、その延在方向がＸ軸方向と一致しており、両者の延在方向が互いに直交している。一対の第１延在部２５は、その長さ寸法が互いにほぼ同一で且つ第２延在部２６の長さ寸法よりも短いものとされる。フレーム本体２３は、その製造に際しては、アルミニウムなどの金属材料を押し出し成形することで直線状の基材を成形した後に、その基材に、第２延在部２６に相当する部分に対して一対の第１延在部２５に相当する部分をほぼ直角に折り曲げる、曲げ加工などを施すことで、全体として略チャンネル型に形成されている。
【００３９】
フレーム本体２３は、図３及び図４に示すように、液晶パネル１１に対して表側に配されるとともにシャーシ１５の板状部１５ａとの間で液晶パネル１１、光学シート２０、導光板１８及び反射シート１９を一括して挟持する挟持部（光学部材支持部）２３ａと、シャーシ１５の板状部１５ａを裏側（液晶パネル１１などの光学部材側とは反対側）から受けることが可能な受け部（シャーシ支持部）２３ｂと、フレーム本体２３と受け部２３ｂとを繋ぐ側壁部２３ｃとを少なくとも有している。これら挟持部２３ａ、受け部２３ｂ及び側壁部２３ｃは、第１延在部２５及び第２延在部２６にそれぞれ形成されている。なお、挟持部２３ａ及び側壁部２３ｃは、図１及び図５に示すように、各第１延在部２５及び第２延在部２６に跨る形で連続的に形成されているのに対し、受け部２３ｂは、各第１延在部２５と、第２延在部２６とにそれぞれ分割される形で形成されている。このように受け部２３ｂのみが各延在部２５，２６毎に分割される理由は、既述したフレーム本体２３の製造方法に起因しており、受け部２３ｂがフレーム本体２３の曲げ部分（角部）において挟持部２３ａ及び側壁部２３ｃの内側に存在するためである。つまり、フレーム本体２３の製造に際しては、押し出し成形により直線状の基材を成形した後、その基材における受け部２３ｂに相当する部分のうちの曲げ予定箇所に切削加工などを施して切欠部位を形成することで、受け部２３ｂを各延在部２５，２６毎に３つに分割しており、それにより続いて基材に曲げ加工を施すことが許容されている。また、挟持部２３ａは、曲げ加工を施す際に曲げ部分において肉寄りが発生する場合があるため、曲げ加工の後に例えばダイヤカット加工が施されることで、表面の平滑化が図られている。
【００４０】
フレーム本体２３を構成する挟持部２３ａは、図３及び図４に示すように、液晶パネル１１の外周端部のうち連結延在部２４側の端部を除いた３辺の端部に対して表側に対向状に配されるとともに、その裏側の面が同３辺の端部に対して当接または近接配置されることで、液晶パネル１１を表側から支持することが可能とされ、それにより液晶パネル１１などの光学部材における同３辺の端部をシャーシ１５の板状部１５ａとの間で一括して挟持している。受け部２３ｂは、シャーシ１５の板状部１５ａの外周端部のうち連結延在部２４側の端部を除いた３辺の端部に対して裏側に対向状に配されるとともに、その表側の面が同３辺の端部に対して当接または近接配置されることで、シャーシ１５を裏側から支持することが可能とされる。このように、フレーム本体２３をなす挟持部２３ａと受け部２３ｂとの間で液晶パネル１１、光学シート２０、導光板１８、反射シート１９及びシャーシ１５を挟み込んで保持することが可能とされる。挟持部２３ａは、側壁部２３ｃから内側に突出する寸法、つまり液晶パネル１１に対する掛かり代（液晶パネル１１との重畳範囲）がごく僅かなものとされており、受け部２３ｂが側壁部２３ｃから内側に突出する寸法、つまりシャーシ１５に対する掛かり代（シャーシ１５との重畳範囲）よりも小さなものとされる。詳しくは、挟持部２３ａは、その内端位置が液晶パネル１１の表示領域に達せずに非表示領域に留まる位置、若しくは表示領域と非表示領域との境界付近とされる位置に配されている。これにより、液晶表示装置１０の狭額縁化が図られている。受け部２３ｂは、シャーシ１５に対する掛かり代が十分に確保されており、具体的にはその内端位置が液晶パネル１１の表示領域内に達する配置とされる。また、受け部２３ｂには、バックキャビネット１４をフレーム１３に対して固定するためのねじ部材（図示せず）が締め付けられるねじ孔２３ｂ１が、受け部２３ｂの延在方向について複数箇所に間欠的に形成されている。挟持部２３ａと受け部２３ｂとは、Ｚ軸方向（光学部材の板面に対する法線方向）について間に所定の空間（間隔）を空けた状態で対向状に配されている。側壁部２３ｃは、液晶パネル１１、光学シート２０、導光板１８、反射シート１９及びシャーシ１５を外側から取り囲む形で配されており、その表側の端部から内側に張り出す形で挟持部２３ａが、裏側の端部から内側に張り出す形で受け部２３ｂが、それぞれ形成されている。また、フレーム本体２３における受け部２３ｂと側壁部２３ｃとの間には、後述するキャビネット１４を構成するキャビネット側板部１４ｂを受け入れる側板受け入れ溝部２３ｅが裏側に開口する形で形成されている。なお、一対の第１延在部２５が有する側壁部２３ｃ及び挟持部２３ａは、図１及び図５に示すように、受け部２３ｂよりも第２延在部２６側とは反対側に向けて突出する形で配されている。
【００４１】
そして、フレーム本体２３には、図１及び図５に示すように、互いに積層された液晶パネル１１、光学シート２０、導光板１８、反射シート１９及びシャーシ１５を、第１延在部２５の延在方向（Ｙ軸方向）に沿って挟持部２３ａと受け部２３ｂとの間に差し込むことが可能な開口部２３ｄが有されている。開口部２３ｄは、一対の第１延在部２５における第２延在部２６側とは反対側（連結延在部２４が連結される側）の端部において、挟持部２３ａと受け部２３ｂとの間に有される空間（液晶パネル１１などの光学部材及びシャーシ１５の挟持空間）を、第１延在部２５の延在方向に沿って第２延在部２６側とは反対側に向けて解放する形で形成されている。これにより、シャーシ１５の板状部１５ａ上に光学部材である液晶パネル１１、光学シート２０、導光板１８及び反射シート１９を積層して構成される積層体を、その板面に沿ってフレーム本体２３に対して差し込む（スライドさせる）ことで一括して組み付けることが可能とされている。
【００４２】
このようにフレーム本体２３に対してスライド式で組み付けられるシャーシ１５には、予め導光板１８と共にＬＥＤ基板１７が組み付けられているため、フレーム本体２３に対する組み付けを行う際に導光板１８がＬＥＤ基板１７に対して相対変位すると、ＬＥＤ１６に導光板１８が干渉することが懸念される。これに対し、シャーシ１５には、図５に示すように、フレーム本体２３に対する差し込み方向（第１延在部２５の延在方向）について導光板１８をＬＥＤ１６に対して位置決めする位置決め部３６が設けられている。位置決め部３６は、シャーシ１５の側板部１５ｂにおける延在方向（Ｘ軸方向）の両端部に配されており、ＬＥＤ基板１７をその長さ方向の両側から挟み込む形で配されている。位置決め部３６は、側板部１５ｂの内側の板面に取り付けられるとともに同板面から内側に向けて突出している。導光板１８における光入射面１８ｂを有する長辺側の端部における長さ方向の両端部、つまり両角部には、上記した位置決め部３６を受け入れる位置決め凹部３７が切欠形成されている。位置決め部３６と位置決め凹部３７との対向面同士が当接することで、導光板１８がＹ軸方向について側板部１５ｂ及びＬＥＤ基板１７に対して位置決めされ、それにより光入射面１８ｂとＬＥＤ１６とのＹ軸方向についての位置関係が一定に維持されるようになっている。また、一対の位置決め部３６が一対の位置決め凹部３７内に嵌合することで、導光板１８がＸ軸方向についても側板部１５ｂ及びＬＥＤ基板１７に対して位置決めされる。
【００４３】
フレーム本体２３と共にフレーム１３を構成する連結延在部２４は、図１及び図５に示すように、液晶パネル１１などの光学部材の外周端部のうち一方（図１及び図５に示す手前側）の長辺側の端部に沿って延在している。連結延在部２４は、その延在方向がＸ軸方向と一致しており、フレーム本体２３を構成する第２延在部２６の延在方向に並行している。連結延在部２４は、その長さ寸法が第２延在部２６の長さ寸法とほぼ同一とされている。連結延在部２４は、その製造に際しては、上記したフレーム本体２３と同様に、アルミニウムなどの金属材料を押し出し成形して得られる基材に所定の加工を施すことで形成されている。連結延在部２４は、図３に示すように、液晶パネル１１に対して表側に配されるとともにシャーシ１５の板状部１５ａとの間で液晶パネル１１、光学シート２０、導光板１８及び反射シート１９を一括して挟持する挟持部（光学部材支持部）２４ａと、挟持部２４ａの外端部から裏側に向けて突出する側壁部２４ｂとから構成されており、断面形状が略Ｌ字型をなしている。
【００４４】
詳しくは、挟持部２４ａは、図３に示すように、液晶パネル１１の外周端部のうちフレーム本体２３側の３辺の端部を除いた１辺の端部（一方の長辺側の端部）に対して表側に対向状に配されるとともに、その裏側の面が同１辺の端部に対して当接または近接配置されることで、液晶パネル１１を表側から支持することが可能とされ、それにより液晶パネル１１などの光学部材における同１辺の端部をシャーシ１５の板状部１５ａとの間で一括して挟持している。連結延在部２４が有する挟持部２４ａは、その表面がフレーム本体２３が有する挟持部２３ａの表面と面一状をなしていて間に段差が生じることが避けられている。連結延在部２４が有する挟持部２４ａは、上記した液晶パネル１１における１辺の端部に加えて、導光板１８における光入射面１８ｂが配された端部、ＬＥＤ１６、ＬＥＤ基板１７、及びシャーシ１５の側板部１５ｂに対して平面に視て重畳する形で配されている。従って、連結延在部２４が有する挟持部２４ａは、側壁部２４ｂから内側に突出する寸法が、フレーム本体２３が有する挟持部２３ａにおける同寸法よりも大きなものとされる。連結延在部２４が有する挟持部２４ａにおける裏側、つまりＬＥＤ１６側に有される空間には、遮光性を有するとともに光を反射させる光反射性を有する反射部材（遮光部材）３１が配されている。反射部材３１は、その内端部が液晶パネル１１におけるＬＥＤ１６側の端部に接するとともに、光学シート２０におけるＬＥＤ１６側の端部を表側から覆い、そこからＬＥＤ１６及びＬＥＤ基板１７を覆いつつシャーシ１５の側板部１５ｂに至る範囲にわたって形成されている。これにより、ＬＥＤ１６から発せられた光は、反射部材３１により反射されることで導光板１８の光入射面１８ｂに効率的に入射され、導光板１８を介することなく液晶パネル１１の端面に直接入射する事態が回避されるようになっている。また、反射部材３１は、シャーシ１５の側板部１５ｂにおける外側の板面を覆う形で延出されている。連結延在部２４が有する側壁部２４ｂは、シャーシ１５の側板部１５ｂとの間に第２シャフト部材２９を介在させつつ外側に対向状に配されている。この側壁部２４ｂには、連結延在部２４をシャーシ１５に対して固定するための第２ねじ部材３０を通すねじ挿通孔２４ｂ１が貫通形成されている。第２ねじ部材３０は、ねじ挿通孔２４ｂ１を通して第２シャフト部材２９のねじ孔に螺合されることで、連結延在部２４をシャーシ１５に対して固定することができる。また、側壁部２４ｂには、次述するバックキャビネット１４を構成するキャビネット側板部１４ｂを受ける側板受け部２４ｂ２が内側に向けて突出して形成されている。
【００４５】
バックキャビネット１４は、金属板材にプレス加工などを施すことで、図１，図３及び図４に示すように、全体として表側に開口した略箱型をなしている。バックキャビネット１４は、平面に視て液晶パネル１１と同様に横長の方形状をなすキャビネット底板部１４ａと、キャビネット底板部１４ａにおける各辺（一対の長辺及び一対の短辺）の外端からそれぞれ表側に向けて立ち上がるキャビネット側板部１４ｂとからなる。キャビネット底板部１４ａは、シャーシ１５の板状部１５ａ及びフレーム１３の受け部２３ｂを裏側からほぼ全域にわたって覆う形で配されている。キャビネット底板部１４ａには、バックキャビネット１４をシャーシ１５に対して固定するための第１ねじ部材２８を通すねじ挿通孔１４ａ１が貫通形成されている。各キャビネット側板部１４ｂは、キャビネット底板部１４ａからの立ち上がり先端部が、フレーム本体２３の側板受け入れ溝部２３ｅに挿入されたり、連結延在部２４の側板受け部２４ｂ２に突き当てられている。
【００４６】
上記したように、フレーム１３を構成するフレーム本体２３が有する挟持部２３ａにおける液晶パネル１１に対する掛かり代がごく僅かとなるよう、液晶表示装置１０（光学部材保持構造ＬＨ）の狭額縁化が図られると、フレーム本体２３に撓みなどの変形が生じた場合に、液晶パネル１１に対する掛かりが不十分となり易く、場合によっては液晶パネル１１が脱落するおそれがあった。しかも、フレーム１３を構成するフレーム本体２３に対して液晶パネル１１などの光学部材をその板面に沿って差し込むことで一括して組み付ける構成を採ると、組み付けに際してフレーム本体２３を構成する一対の第１延在部２５が互いに離れるよう開き変形させられることが懸念される。一対の第１延在部２５に開き変形が生じると、シャーシ１５との間で液晶パネル１１などの光学部材を挟持できなくなるとともに、組付作業性が悪化する、という問題が生じ得る。
【００４７】
そこで、本実施形態では、図４に示すように、フレーム本体２３をなす一対の第１延在部２５とシャーシ１５とにそれぞれ互いに凹凸嵌合することで一対の第１延在部２５が開くよう相対変位するのを規制する規制構造３２を設けるようにしている。この規制構造３２により一対の第１延在部２５が開くよう相対変位するのが規制されるので、一対の第１延在部２５が有する挟持部２３ａの、液晶パネル１１に対する掛かり代が一定に維持され易くなり、それにより狭額縁化が進行して上記した液晶パネル１１に対する掛かり代がごく僅かなものとなっても液晶パネル１１が脱落する、といった事態が発生し難いものとなる。しかも、フレーム本体２３に対して液晶パネル１１などの光学部材をその板面に沿って差し込むことで一括して組み付ける作業を行う際にも、規制構造３２により一対の第１延在部２５が開くよう相対変位するのが規制されることで、一対の第１延在部２５が互いに離れるよう開き変形させられる事態が生じ難くなり、もってシャーシ１５との間で液晶パネル１１などの光学部材を挟持できなくなる事態が生じ難くなるとともに、組付作業性が良好なものとなる。
【００４８】
この規制構造３２は、図４に示すように、光学部材である液晶パネル１１、光学シート２０、導光板１８及び反射シート１９のいずれに対しても平面に視て（光学部材の板面の法線方向から視て）重畳する位置に配されている。詳しくは、規制構造３２は、フレーム本体２３の挟持部２３ａよりも液晶パネル１１などの光学部材における中央寄り（内寄り）に配されている。規制構造３２は、シャーシ１５の板状部１５ａに形成されて裏側、つまり液晶パネル１１などの光学部材側とは反対側に突出する規制凸部３３と、一対の第１延在部２５に形成されて規制凸部３３を受け入れる規制凹部３４とから構成されている。以下、規制凸部３３及び規制凹部３４の具体的な構成について詳しく説明する。
【００４９】
規制凸部３３は、図４及び図６に示すように、シャーシ１５の板状部１５ａにおける短辺側の両端部に対をなす形でそれぞれ形成されている。規制凸部３３は、板状部１５ａの短辺方向、つまりフレーム本体２３に対する差し込み方向に沿って延在する板片状（レール状）をなしており、その板面が上記差し込み方向に並行するとともに板状部１５ａの板面と直交している。すなわち、規制凸部３３は、その板面がＹ軸方向及びＺ軸方向に並行しており、延在方向がＹ軸方向と、幅方向（板状部１５ａからの突出方向）がＺ軸方向と、板厚方向がＸ軸方向とそれぞれ一致している。規制凸部３３は、板状部１５ａのうち導光板支持部１５ａ１の大部分（基板収容部１５ａ２側の端部を除いたほぼ全域）にわたって形成されており、基板収容部１５ａ２側とは反対側の端部、つまりフレーム本体２３に対する差し込み方向の前端部から同差し込み方向（第１延在部２５の延在方向）の中央部を含んで基板収容部１５ａ２の近く（差し込み方向の後端部付近）に至るまで延在している。規制凸部３３は、シャーシ１５の製造に際して、板状部１５ａの導光板支持部１５ａ１における短辺側の両端部のうち、基板収容部１５ａ２側の端部付近にスリットＳを入れ、そのスリットＳよりも差し込み方向の前側部分を裏側に向けて屈曲させることで形成されている。一対の規制凸部３３は、互いに対向状をなす内側、つまり光学部材の中央側を向いた板面（内側の対向面）３３ａと、互いに反対側を向いた外側の板面（外側の対向面）３３ｂとをそれぞれ有しており、このうち内側の板面３３ａが次述する規制凹部３４における内側の対向面３４ａに当接することで、一対の第１延在部２５の開きを規制することが可能とされる。
【００５０】
規制凹部３４は、図４及び図５に示すように、フレーム本体２３の一対の第１延在部２５に対をなす形でそれぞれ形成されている。規制凹部３４は、各第１延在部２５の延在方向（Ｙ軸方向）、つまりフレーム本体２３に対する光学部材などの積層体の差し込み方向及び規制凸部３３の延在方向に沿って延在する溝状をなしている。規制凹部３４は、その延在方向がＹ軸方向と、深さ方向がＺ軸方向と、溝幅方向がＸ軸方向とそれぞれ一致している。規制凹部３４は、各第１延在部２５においてその全長にわたって形成されている。従って、規制凹部３４は、各第１延在部２５のうち、光学部材などの積層体を受け入れる開口部２３ｄ側（差し込み方向の手前側）の端部から光学部材などの積層体の差し込み方向（第１延在部２５の延在方向）の中央部を含んで開口部２３ｄ側とは反対側（差し込み方向の奥側）の端部に至るまで延在している、と言える。これにより、シャーシ１５に液晶パネル１１などの光学部材を積層してなる積層体をフレーム本体２３に対して差し込むようにして組み付ける初期段階においても、規制凹部３４内に規制凸部３３が凹凸嵌合されることで、一対の第１延在部２５の開きが規制されるのに加えて、組み付けが完了した状態においても、一対の第１延在部２５が全長にわたって開きが規制され、特に一対の第１延在部２５のうち最も開きが生じ易い延在方向についての中央部が、互いに凹凸嵌合する規制凸部３３及び規制凹部３４によって開きが効果的に規制される。規制凹部３４は、各第１延在部２５のうち、シャーシ１５の板状部１５ａに対して裏側、つまり規制凸部３３が突出する側にて対向状をなす受け部２３ｂにおける表側の面を凹ませることで形成されている。規制凹部３４は、各第１延在部２５のうち、平面に視て挟持部２３ａ及び側板受け入れ溝部２３ｅよりも内側に配されている。
【００５１】
規制凹部３４は、図４に示すように、その溝幅が規制凸部３３の板厚よりも相対的に大きなものとされる。そして、規制凹部３４における規制凸部３３に対する内側の対向面３４ａは、規制凸部３３の内側の板面３３ａに対して当接するのに対し、規制凹部３４における規制凸部３３に対する外側の対向面３４ｂは、規制凸部３３の外側の板面３３ｂとの間に所定のクリアランスを有するよう、同板面３３ｂからは離間する形で配されている。従って、一対の規制凹部３４内に一対の規制凸部３３が嵌合された状態では、一対の第１延在部２５が互いに離れるよう開くことが殆どないものとされる。その一方、一対の規制凸部３３が一対の規制凹部３４内に嵌合される過程では、外側の板面３３ｂと外側の対向面３４ｂとが殆ど接触しないので、嵌合の進行に伴う摩擦抵抗が軽減され、もって組付作業性が良好なものとなる。また、一対の規制凹部３４における一方の内側の対向面３４ａから他方の内側の対向面３４ａまでの距離は、一対の規制凸部３３における一方の内側の板面３３ａから他方の内側の板面３３ａまでの距離とほぼ等しいものとされる。なお、この規制凹部３４は、押し出し成形によって製造されるフレーム本体２３の第１延在部２５にそれぞれ形成されているため、第２延在部２６にも同様に形成されている（図３を参照）。
【００５２】
規制凹部３４の開口部２３ｄ側の端部、つまり相手側の規制凸部３３が導入される側の端部には、図５及び図７に示すように、規制凸部３３の導入を案内するための案内面３５が形成されている。案内面３５は、規制凹部３４の開口部２３ｄ側の端部における内側の溝縁を切り欠くことで形成されており、規制凹部３４の溝幅が開口端側、つまり規制凸部３３の差し込み方向の手前側ほど広くなり、逆に規制凸部３３の差し込み方向の奥側ほど狭くなるよう、テーパ状をなしている。これにより、規制凸部３３が規制凹部３４内に差し込まれる際には、規制凸部３３のうち差し込み方向の前端部が案内面３５に摺接されることで、規制凸部３３が規制凹部３４内に円滑に導入され、それによりシャーシ１５の組付作業性がより良好なものとなる。
【００５３】
本実施形態に係る液晶表示装置１０は以上のような構造であり、続いてその組付方法について説明する。液晶表示装置１０の組み付けに際しては、まずシャーシ１５の側板部１５ｂにＬＥＤ基板１７及び位置決め部３６を取り付けるとともに、板状部１５ａ及び側板部１５ｂにそれぞれ各シャフト部材２７，２９をかしめ付けておく。続いて、シャーシ１５の板状部１５ａ上に反射シート１９、導光板１８及び光学シート２０を順次に積層配置し、さらには、図５及び図７に示すように、光学シート２０上に液晶パネル１１を積層配置する。そして、シャーシ１５、反射シート１９、導光板１８、光学シート２０及び液晶パネル１１からなる積層体（積層ユニット）を、フレーム本体２３における一対の第１延在部２５の端部間に形成された開口部２３ｄを通して挟持部２３ａと受け部２３ｂとの間に一括して差し込むようにする。
【００５４】
この積層体の差し込みに伴い、シャーシ１５の底板部１５ａに設けられた一対の規制凸部３３は、図７から図９に示すように、フレーム本体２３の各第１延在部２５にそれぞれ設けられた一対の規制凹部３４内に差し込まれる。このように積層体の差し込み作業の初期段階において、規制構造３２により一対の第１延在部２５が開くよう相対変位されるのが規制されるから、組付作業性が良好なものとなるとともに、挟持部２３ａにより液晶パネル１１などの光学部材をシャーシ１５との間でしっかりと挟持することができて、組み付け作業中に液晶パネル１１などの光学部材が脱落する事態が生じ難くなる。このとき、規制凹部３４内に導入される規制凸部３３は、その差し込み方向の前端部が規制凹部３４に形成された案内面３５に摺接されることで、導入が円滑に案内され、もって差し込みに係る作業性が良好なものとなっている。しかも、導光板１８は、ＬＥＤ１６側の角部に形成された位置決め凹部３７にシャーシ１５側の位置決め部３６が当接されることで、ＬＥＤ１６に対して接近するよう変位するのが規制されるので、上記した積層体の差し込みが行われる際に衝撃や振動が生じても光入射面１８ｂがＬＥＤ１６に干渉する事態が生じ難いものとされる。これにより、光入射面１８ｂ及びＬＥＤ１６が損傷などを受ける事態が回避される。なお、図８においては、ＬＥＤ基板１７、反射部材３１及び位置決め部３６などの図示を省略している。
【００５５】
上記した積層体がフレーム本体２３の奥端位置にまで差し込まれると、液晶パネル１１、光学シート２０、導光板１８及び反射シート１９における３辺の端部がフレーム本体２３が有する挟持部２３ａとシャーシ１５の板状部１５ａとの間に挟持される。言い換えると、液晶パネル１１、光学シート２０、導光板１８、反射シート１９及びシャーシ１５における３辺の端部は、フレーム本体２３が有する挟持部２３ａと受け部２３ｂとの間に挟み込まれて保持される。続いて、連結延在部２４をフレーム本体２３に対して連結する作業を行う。フレーム本体２３をなす一対の第１延在部２５における開口部２３ｄ側の端部間に連結延在部２４を嵌め入れることで、フレーム本体２３の開口部２３ｄが閉塞される。連結延在部２４は、そのねじ挿通孔２４ｂ１に第２ねじ部材３０が通されるとともにその第２ねじ部材３０がシャーシ１５側の第２シャフト部材２９のねじ孔２９ａに螺合されることで、シャーシ１５に対して固定される。これにより、シャーシ１５、反射シート１９、導光板１８、光学シート２０及び液晶パネル１１からなる積層体がフレーム本体２３から抜け止め状態に保たれる。また、フレーム本体２３に連結延在部２４が組み付けられることで、全体として枠状をなすフレーム１３が構成されるので、液晶パネル１１、光学シート２０、導光板１８及び反射シート１９の外周端部がフレーム１３の各挟持部２３ａ，２４ａとシャーシ１５の板状部１５ａとの間に挟持される。
【００５６】
このようにフレーム１３の組み付け作業を終えたら、次にバックキャビネット１４の組み付け作業を行う。バックキャビネット１４は、各キャビネット側板部１４ｂを表側に向けた姿勢でフレーム１３及びシャーシ１５に対して裏側から組み付けられる。このとき、各キャビネット側板部１４ｂは、フレーム本体２３の側板受け入れ溝部２３ｅ及び連結延在部２４の側板受け部２４ｂ２により受けられることで、Ｘ軸方向、Ｙ軸方向及びＺ軸方向についてキャビネット１４が位置決めされる。この状態で、第１ねじ部材２８を、キャビネット１４のキャビネット底板部１４ａに形成されたねじ挿通孔１４ａ１に通してシャーシ１５の板状部１５ａの第１シャフト部材２７のねじ孔２７ａに螺合させることで、バックキャビネット１４がシャーシ１５に対して固定される。また、図示しないねじ部材をフレーム１３の受け部２３ｂに形成されたねじ孔２３ｂ１に締め付けることで、バックキャビネット１４をフレーム１３に対しても固定することができる。なお、バックキャビネット１４の組み付けに先立ってチューナ基板Ｔなどの基板類をシャーシ１５の板状部１５ａに対して取り付けるのが好ましい。以上によりテレビ受信装置ＴＶ及び液晶表示装置１０の組み付けが完了する。
【００５７】
以上説明したように本実施形態の光学部材保持構造ＬＨは、方形の板状をなす光学部材である液晶パネル１１、光学シート２０、導光板１８及び反射シート１９と、光学部材である液晶パネル１１、光学シート２０、導光板１８及び反射シート１９の板面に沿う板状部１５ａを有するシャーシ１５と、光学部材である液晶パネル１１、光学シート２０、導光板１８及び反射シート１９の外周端部に倣う形で枠状をなすとともに、シャーシ１５の板状部１５ａとの間で光学部材である液晶パネル１１、光学シート２０、導光板１８及び反射シート１９の外周端部を挟持するフレーム１３であって、光学部材である液晶パネル１１、光学シート２０、導光板１８及び反射シート１９の外周端部に含まれる３つの辺部のうちの対辺をなす一対の辺部に沿って延在する一対の第１延在部２５と、一対の第１延在部２５における同じ側の端部に連なるとともに光学部材である液晶パネル１１、光学シート２０、導光板１８及び反射シート１９の３つの辺部のうちの一対の辺部に挟まれた辺部に沿って延在する第２延在部２６とからなるフレーム本体２３と、光学部材である液晶パネル１１、光学シート２０、導光板１８及び反射シート１９の外周端部のうちの３つの辺部を除いた残りの辺部に沿って延在するとともにフレーム本体２３をなす一対の第１延在部２５に対して連結される連結延在部２４とを有するフレーム１３と、フレーム本体２３をなす一対の第１延在部２５とシャーシ１５とにそれぞれ設けられ、互いに凹凸嵌合することで一対の第１延在部２５が開くよう相対変位するのを規制する規制構造３２と、を備える。
【００５８】
このように、光学部材である液晶パネル１１、光学シート２０、導光板１８及び反射シート１９は、その外周端部がシャーシ１５の板状部１５ａとフレーム１３との間に挟持されており、詳しくは光学部材である液晶パネル１１、光学シート２０、導光板１８及び反射シート１９の外周端部に含まれる３つの辺部のうちの対辺をなす一対の辺部がフレーム本体２３を構成する一対の第１延在部２５と板状部１５ａとの間に、上記３つの辺部のうちの上記一対の辺部に挟まれた辺部がフレーム本体２３を構成する第２延在部２６と板状部１５ａとの間に、光学部材である液晶パネル１１、光学シート２０、導光板１８及び反射シート１９の外周端部のうち上記３つの辺部を除いた残りの辺部が一対の第１延在部２５に対して連結される連結延在部２４と板状部１５ａとの間に、それぞれ挟持される。フレーム本体２３は、第２延在部２６に一対の第１延在部２５が連なる構成とされているため、例えば光学部材である液晶パネル１１、光学シート２０、導光板１８及び反射シート１９やシャーシ１５を、一対の第１延在部２５に対して第２延在部２６側とは反対側から差し込むようにして組み付けた場合、一対の第１延在部２５が開くようにして変形することが懸念される。その点、フレーム本体２３をなす一対の第１延在部２５とシャーシ１５とには、互いに凹凸嵌合することで一対の第１延在部２５が開くよう相対変位するのを規制する規制構造３２が設けられているから、一対の第１延在部２５の開き変形が抑制され、それにより一対の第１延在部２５と板状部１５ａとの間で光学部材である液晶パネル１１、光学シート２０、導光板１８及び反射シート１９をしっかりと挟持することができる。フレーム本体２３に連結延在部２４を連結した状態においても、規制構造３２によって一対の第１延在部２５の開きが規制されるから、光学部材である液晶パネル１１、光学シート２０、導光板１８及び反射シート１９の脱落を好適に抑制することができる。特に、狭額縁化が進行し、光学部材である液晶パネル１１、光学シート２０、導光板１８及び反射シート１９の外周端部に対するフレーム１３の掛かり代が狭小化した場合においても、規制構造３２によって一対の第１延在部２５が開くよう相対変位するのを規制することで、光学部材である液晶パネル１１、光学シート２０、導光板１８及び反射シート１９の外周端部からフレーム１３が外れる事態を生じ難くすることができ、もって狭額縁化に好適となる。また、規制構造３２は、一対の第１延在部２５とシャーシ１５とに設けられており、光学部材である液晶パネル１１、光学シート２０、導光板１８及び反射シート１９には設けられることがないので、光学部材である液晶パネル１１、光学シート２０、導光板１８及び反射シート１９の光学性能に悪影響が及ぶことが回避されている。
【００５９】
また、規制構造３２は、光学部材である液晶パネル１１、光学シート２０、導光板１８及び反射シート１９と重畳する位置に配されている。このようにすれば、仮に規制構造が光学部材である液晶パネル１１、光学シート２０、導光板１８及び反射シート１９とは非重畳の配置とされた場合には、規制構造３２の配置スペースの分だけ額縁が広くなるのに比べると、狭額縁化を図るのにより好適とされる。
【００６０】
また、規制構造３２は、シャーシ１５の板状部１５ａに形成されて光学部材である液晶パネル１１、光学シート２０、導光板１８及び反射シート１９側とは反対側に突出する規制凸部３３と、フレーム本体２３をなす一対の第１延在部２５に形成されて規制凸部３３を受け入れる規制凹部３４とからなる。このようにすれば、仮にシャーシ１５側に規制凹部を設けた場合には、規制構造が光学部材である液晶パネル１１、光学シート２０、導光板１８及び反射シート１９と重畳する配置とされている都合上、規制凹部の凹み寸法を十分に確保するのが難しくなるのに比べると、シャーシ１５の板状部１５ａに形成した規制凸部３３の突出寸法と、フレーム本体２３をなす一対の第１延在部２５に形成した規制凹部３４の凹み寸法とをそれぞれ十分に確保するのが容易になり、もって第１延在部２５の開き規制機能を十分に発揮することができる。
【００６１】
また、規制凸部３３は、シャーシ１５の板状部１５ａにおける端部に配されている。このようにすれば、仮に規制凸部を板状部１５ａにおける中央側部分に設けた場合に比べると、規制凸部３３を容易に形成することができる。
【００６２】
また、フレーム本体２３は、シャーシ１５の板状部１５ａとの間で光学部材である液晶パネル１１、光学シート２０、導光板１８及び反射シート１９を挟持する挟持部２３ａと、シャーシ１５の板状部１５ａを光学部材である液晶パネル１１、光学シート２０、導光板１８及び反射シート１９側とは反対側から受けることが可能な受け部２３ｂと、一対の第１延在部２５における第２延在部２６側とは反対側の端部間に形成され、光学部材である液晶パネル１１、光学シート２０、導光板１８及び反射シート１９及びシャーシ１５を、第１延在部２５の延在方向に沿って挟持部２３ａと受け部２３ｂとの間に差し込むことが可能な開口部２３ｄとを有しており、規制構造３２は、一対の第１延在部２５における開口部２３ｄ側の端部と、シャーシ１５における一対の第１延在部２５に対する差し込み方向の前端部とに少なくとも配されている。このようにすれば、光学部材である液晶パネル１１、光学シート２０、導光板１８及び反射シート１９及びシャーシ１５は、フレーム本体２３をなす一対の第１延在部２５における第２延在部２６側とは反対側の端部に形成された開口部２３ｄに対して、第１延在部２５の延在方向に沿って挟持部２３ａと受け部２３ｂとの間に差し込まれることで、フレーム本体２３に対する組み付けがなされる。規制構造３２は、一対の第１延在部２５における開口部２３ｄ側の端部と、シャーシ１５における一対の第１延在部２５に対する差し込み方向の前端部とに少なくとも配されているから、光学部材である液晶パネル１１、光学シート２０、導光板１８及び反射シート１９及びシャーシ１５の差し込み作業における初期段階において一対の第１延在部２５が開くよう相対変位するのが規制される。これにより、フレーム１３に対する光学部材である液晶パネル１１、光学シート２０、導光板１８及び反射シート１９及びシャーシ１５の組付作業性が良好なものとなる。
【００６３】
また、規制構造３２は、一対の第１延在部２５とシャーシ１５とのいずれか一方側に形成された規制凸部３３と、他方側に形成されてシャーシ１５が開口部２３ｄに差し込まれるのに伴って規制凸部３３を受け入れる規制凹部３４とから構成されており、規制凸部３３と規制凹部３４との少なくともいずれか一方における相手側が導入される側の端部には、相手側の導入を案内する案内面３５が形成されている。このようにすれば、シャーシ１５が一対の第１延在部２５における開口部２３ｄに差し込まれる初期段階において、規制凸部３３が規制凹部３４に受け入れられる。このとき、規制凸部３３と規制凹部３４とのいずれかが相手側に対して導入される際に、案内面３５によりその導入が案内されるから、シャーシ１５の組付作業性がより良好なものとなる。
【００６４】
また、規制構造３２は、一対の第１延在部２５の延在方向についての中央部と、シャーシ１５における一対の第１延在部２５の延在方向についての中央部とに少なくとも配されている。このようにすれば、フレーム本体２３に連結延在部２４を連結した状態では、一対の第１延在部２５は、その延在方向についての中央部が最も開き易くなっているものの、一対の第１延在部２５及びシャーシ１５における同中央部に規制構造３２を少なくとも配することで、一対の第１延在部２５の開きに伴って生じ得る光学部材である液晶パネル１１、光学シート２０、導光板１８及び反射シート１９の脱落を効果的に抑制することができる。
【００６５】
また、規制構造３２は、一対の第１延在部２５とシャーシ１５とのいずれか一方側に形成された規制凸部３３と、他方側に形成されて規制凸部３３を受け入れる規制凹部３４とから構成されており、規制凸部３３と規制凹部３４との対向面のうち、内側の板面３３ａと内側の対向面３４ａとが互いに当接されるのに対し、外側の板面３３ｂと外側の対向面３４ｂとが互いに離間する形で配されている。このようにすれば、規制凸部３３と規制凹部３４との対向面のうち、内側の板面３３ａと内側の対向面３４ａとが当接されることで、一対の第１延在部２５が開くよう相対変位するのが良好に規制される。一方、規制凸部３３と規制凹部３４との対向面のうち、外側の板面３３ｂと外側の対向面３４ｂとが互いに離間しているから、シャーシ１５をフレーム１３に対して組み付ける際に、規制凸部３３が規制凹部３４内にスムーズに受け入れられ、もって組付作業性が良好なものとなる。
【００６６】
本実施形態に係るバックライト装置（照明装置）１２は、上記した光学部材保持構造ＬＨと、シャーシ１５に収容されるとともに光学部材である光学シート２０及び導光板１８に光を供給するＬＥＤ（光源）１６とを備える。このような照明装置によれば、光学部材である液晶パネル１１、光学シート２０、導光板１８及び反射シート１９の脱落が抑制されているから、光学性能を良好に発揮することができる。
【００６７】
また、光学部材には、少なくともＬＥＤ１６からの光を導光する導光板１８が含まれており、ＬＥＤ１６は、シャーシ１５において第２延在部２６と連結延在部２４との少なくともいずれか一方と重なり合う位置に選択的に配される。このようにすれば、シャーシ１５において第２延在部２６と連結延在部２４との少なくともいずれか一方と重なり合う位置に選択的に配されたＬＥＤ１６からの光が導光板１８により導光されることで照明光が得られる。ＬＥＤ１６が少なくとも一対の第１延在部２５とは重なり合わない配置とされるので、少なくとも一対の第１延在部２５に関しては狭額縁化を図る上で好適となり、デザイン性に優れる。このように狭額縁化が図られると、光学部材である液晶パネル１１、光学シート２０、導光板１８及び反射シート１９に対する掛かり代が狭小化して光学部材である液晶パネル１１、光学シート２０、導光板１８及び反射シート１９の脱落が懸念されるものの、一対の第１延在部２５は、規制構造３２によって開きが規制されているので、狭額縁化が進行しても光学部材である液晶パネル１１、光学シート２０、導光板１８及び反射シート１９が脱落し難くなっている。
【００６８】
また、シャーシ１５には、一対の第１延在部２５の延在方向についてＬＥＤ１６に対して導光板１８を位置決めする位置決め部３６が設けられている。このようにすれば、位置決め部３６によって一対の第１延在部２５の延在方向についてＬＥＤ１６に対して導光板１８が位置決めされるから、シャーシ１５をフレーム１３に対して組み付ける際に導光板１８がＬＥＤ１６に干渉するのを防ぐことができる。
【００６９】
また、ＬＥＤ１６は、シャーシ１５において連結延在部２４と重なり合う位置に選択的に配される。このようにすれば、一対の第１延在部２５に加えて第２延在部２６についての狭額縁化を図る上で好適となるのでデザイン性により優れる。また、フレーム本体２３から連結延在部２４を取り外せば、ＬＥＤ１６を容易に取り外すことが可能となるので、メンテナンス性に優れる。
【００７０】
本実施形態に係る液晶表示装置（表示装置）１０は、上記した光学部材保持構造ＬＨと、光学部材に少なくとも含まれる液晶パネル（表示パネル）１１とを備える。このような液晶表示装置１０によれば、光学部材に少なくとも含まれる液晶パネル１１の脱落が抑制されているから、表示性能を良好に発揮することができる。
【００７１】
また、シャーシ１５に収容されるＬＥＤ１６と、光学部材に少なくとも含まれるとともにＬＥＤ１６からの光を導光する導光板１８とを少なくとも有してなるバックライト装置１２が備えられており、液晶パネル１１及び導光板１８の外周端部がシャーシ１５とフレーム１３との間に挟持される。このようにすれば、液晶パネル１１、導光板１８及びシャーシ１５を互いに重ね合わせた状態で一括してフレーム１３に対して組み付けることが可能とされるので、組付作業性がより良好なものとなる。
【００７２】
本実施形態に係るテレビ受信装置ＴＶは、上記した液晶表示装置１０を備える。このようなテレビ受信装置ＴＶによれば、液晶表示装置１０に備えられる液晶パネル１１の脱落が抑制されているから、テレビ画像に係る表示性能を良好に発揮することができる。
【００７３】
＜実施形態２＞
本発明の実施形態２を図１０によって説明する。この実施形態２では、規制凸部１３３側に凸部側案内面３８を設けたものを示す。なお、上記した実施形態１と同様の構造、作用及び効果について重複する説明は省略する。
【００７４】
本実施形態に係る規制凸部１３３には、図１０に示すように、相手側の規制凹部（図示せず）が導入される側の端部に凸部側案内面３８が形成されている。凸部側案内面３８は、規制凸部１３３のうち、シャーシ１１５の底板部１１５ａにおける基板収容部１１５ａ２側とは反対側の端部、つまり図示しないフレーム本体に対する差し込み方向の前端部における内側の端縁に形成されており、規制凸部１３３の幅寸法が同差し込み方向の前端側ほど小さくなるよう、テーパ状に形成されている。従って、凸部側案内面３８は、図示しない規制凹部側に形成された案内面に倣うような傾斜を有しており、同案内面と協働して規制凹部に対する規制凸部１３３の導入を一層円滑化することができる。
【００７５】
＜実施形態３＞
本発明の実施形態３を図１１によって説明する。この実施形態３では、上記した実施形態１からフレーム本体２２３及び連結延在部２２４の構造を変更したものを示す。なお、上記した実施形態１と同様の構造、作用及び効果について重複する説明は省略する。
【００７６】
本実施形態に係るフレーム本体２２３は、図１１に示すように、一対の第１延在部２２５が有する挟持部２２３ａ及び側壁部２２３ｃが、受け部２２３ｂよりも第２延在部２２６側に引っ込む形で配されている。逆に言うと、一対の第１延在部２２５が有する受け部２２３ｂは、挟持部２２３ａ及び側壁部２２３ｃよりも第２延在部２２６側とは反対側に向けて突出する形で配されている。このようにすれば、シャーシ２１５に液晶パネル２１１などの光学部材を積層してなる積層体をフレーム本体２２３に対して組み付ける際、液晶パネル２１１に対して挟持部２２３ａが干渉する前の段階で、規制凸部（図示せず）が規制凹部２３４内に嵌合されるので、一対の第１延在部２２５の開き規制を先行させることができ、組付作業性を一層向上させることができる。
【００７７】
なお、連結延在部２２４が有する挟持部２２４ａ及び側壁部２２４ｂにおける延在方向の両端部には、Ｙ軸方向に沿ってフレーム本体２２３側に向けて延出する延出挟持部３９及び延出側壁部４０がそれぞれ一対ずつ設けられている。延出挟持部３９及び延出側壁部４０は、その外面及び内面が、一対の第１延在部２２５が有する挟持部２２３ａ及び側壁部２２３ｃの外面及び内面とほぼ面一状をなしている。そして、延出挟持部３９は、液晶パネル２１１のうち一対の短辺側の端部におけるＹ軸方向についての連結延在部２２４側の端部をシャーシ２１５との間で挟持することが可能とされる。
【００７８】
＜実施形態４＞
本発明の実施形態４を図１２によって説明する。この実施形態４では、上記した実施形態１から規制凸部３３３の形成範囲を変更したものを示す。なお、上記した実施形態１と同様の構造、作用及び効果について重複する説明は省略する。
【００７９】
本実施形態に係る規制凸部３３３は、図１２に示すように、シャーシ３１５の板状部３１５ａにおける短辺側の各端部において部分的に複数ずつ設けられている。詳しくは、規制凸部３３３は、板状部３１５ａの短辺側の各端部のうち、基板収容部３１５ａ２側とは反対側の端部、つまり図示しないフレーム本体に対する差し込み方向の前端部と、短辺側の端部の延在方向（Ｙ軸方向）の中央部とにそれぞれ２つずつ設けられている。各規制凸部３３３は、Ｙ軸方向に沿って延在する板片状をなしているものの、板状部３１５ａの短辺側の端部における形成範囲が、各規制凸部３３３が形成されていない非形成部分の範囲よりも狭くなっている。このような構成であっても、上記した実施形態１と同様に、フレーム本体に対するシャーシ３１５の組み付けの初期段階において、一対の第１延在部の開きを規制することができるのに加え、組み付けが完了した状態において一対の第１延在部のうち最も開きが懸念される延在方向の中央部を開き規制することができる。
【００８０】
＜実施形態５＞
本発明の実施形態５を図１３または図１４によって説明する。この実施形態５では、上記した実施形態１から規制凸部４３３の配置を変更したものを示す。なお、上記した実施形態１と同様の構造、作用及び効果について重複する説明は省略する。
【００８１】
本実施形態に係る規制凸部４３３は、図１３に示すように、シャーシ４１５の板状部４１５ａにおける短辺側の各端部よりも中央側に配されている。詳しくは、規制凸部４３３は、板状部４１５ａのうち短辺側の端部よりもＸ軸方向について中央側の部分を裏側に向けて切り起こすことで形成されている。このため、板状部４１５ａには、規制凸部４３３の形成箇所に部分的な切欠部４１が形成されている。規制凸部４３３は、板状部４１５ａにおけるＹ軸方向についての配置及び設置数が上記した実施形態４に記載した規制凸部３３３（図１２を参照）と同様とされており、図１４に示すように、板状部４１５ａのうち、基板収容部４１５ａ２側とは反対側の端部、つまりフレーム本体４２３に対する差し込み方向の前端部と、第１延在部４２５の延在方向（Ｙ軸方向）の中央部とにそれぞれ２つずつ設けられている。このように規制凸部４３３の形成範囲を限定的にすることで、切欠部４１の形成範囲も限定的なものとなるので、板状部４１５ａの機械的な強度を十分に保つことが可能とされる。
【００８２】
＜実施形態６＞
本発明の実施形態６を図１５または図１６によって説明する。この実施形態６では、上記した実施形態５から規制凸部５３３の形成方法及び形成範囲を変更したものを示す。なお、上記した実施形態５と同様の構造、作用及び効果について重複する説明は省略する。
【００８３】
本実施形態に係る規制凸部５３３は、図１５に示すように、シャーシ５１５の板状部５１５ａのうち短辺側の端部よりもＸ軸方向について中央側の部分を裏側に向けて叩き出すことで形成されている。規制凸部５３３は、板状部５１５ａから裏側に向けてほぼ直角に突出する一対の突出部と、その先端部同士を繋ぐ繋ぎ部とから構成されており、断面形状が略チャンネル型（略門形）をなしている。従って、板状部５１５ａには、規制凸部５３３を形成するのに伴って、上記した実施形態５のような切欠部４１（図１３を参照）が形成されることが避けられている。これにより、板状部５１５ａの機械的な強度をより高く保つことができる。規制凸部５３３は、図１６に示すように、板状部５１５ａにおいてフレーム本体５２３の第１延在部５２５の延在方向に沿って延在する形で形成されており、その形成範囲は、フレーム本体５２３に対する差し込み方向の前端部から第１延在部５２５の延在方向の中央部にわたっている。
【００８４】
＜実施形態７＞
本発明の実施形態７を図１７または図１８によって説明する。この実施形態７では、上記した実施形態６から規制凸部６３３の断面形状及び形成範囲を変更したものを示す。なお、上記した実施形態６と同様の構造、作用及び効果について重複する説明は省略する。
【００８５】
本実施形態に係る規制凸部６３３は、図１７に示すように、その断面形状が角部の丸まった円弧状をなしている。この規制凸部６３３は、シャーシ６１５の板状部６１５ａにおけるＹ軸方向についての配置及び設置数が上記した実施形態４に記載した規制凸部３３３（図１２を参照）と同様とされており、図１８に示すように、基板収容部６１５ａ２側とは反対側の端部、つまり図示しないフレーム本体に対する差し込み方向の前端部と、短辺側の端部の延在方向（Ｙ軸方向）の中央部とにそれぞれ２つずつ設けられている。規制凸部６３３は、平面に視てＹ軸方向に沿って細長い長円形状をなしている。
【００８６】
＜実施形態８＞
本発明の実施形態８を図１９によって説明する。この実施形態８では、上記した実施形態１から規制構造７３２の凹凸関係を逆転させたものを示す。なお、上記した実施形態１と同様の構造、作用及び効果について重複する説明は省略する。
【００８７】
本実施形態に係る規制構造７３２は、図１９に示すように、フレーム本体７２３が有する一対の第１延在部７２５側に規制凸部４２が形成されているのに対し、シャーシ７１５の板状部７１５ａ側に、規制凸部４２を受け入れる規制凹部４３が形成されている。規制凸部４２は、一対の第１延在部７２５が有する受け部７２３ｂのうち板状部７１５ａと対向する表側の面から表側に向けて突出する形で設けられている。規制凹部４３は、板状部７１５ａにおける一対の短辺側の端部よりもＸ軸方向について中央側の位置に配されており、板状部７１５ａの裏側の板面から表側に凹む形で形成されている。規制凸部４２及び規制凹部４３は、共に第１延在部７２５の延在方向に沿って延在する形で形成されている。
【００８８】
＜実施形態９＞
本発明の実施形態９を図２０によって説明する。この実施形態９では、上記した実施形態８に記載した規制凸部８４２及び規制凹部８４３の配置を変更したものを示す。なお、上記した実施形態８と同様の構造、作用及び効果について重複する説明は省略する。
【００８９】
本実施形態に係る規制凹部８４３は、図２０に示すように、シャーシ８１５の板状部８１５ａにおける両短辺側の端部に配されている。規制凹部８４３は、板状部８１５ａにおける短辺側の端部において、Ｚ軸方向について裏側に開口するとともにＸ軸方向について外側に開口する形で形成されている。これに伴い、規制凸部８４２は、一対の第１延在部８２５が有する受け部８２３ｂのうち側壁部８２３ｃ側の端部付近に配されている。
【００９０】
＜実施形態１０＞
本発明の実施形態１０を図２１によって説明する。この実施形態１０では、上記した実施形態１からフレーム９１３とシャーシ９１５との間で液晶パネル９１１を挟持しない構成としたものを示す。なお、上記した実施形態１と同様の構造、作用及び効果について重複する説明は省略する。
【００９１】
本実施形態に係る液晶表示装置９１０には、図２１に示すように、液晶パネル９１１の外周端部を、フレーム９１３の挟持部９２３ａとの間で挟持するための第２のフレーム４４が備えられている。第２のフレーム４４は、フレーム９１３と同様に液晶パネル９１１の外周端部を取り囲む形で略枠状をなしており、液晶パネル９１１の外周端部に対して表側に配されて挟持部９２３ａとの間で液晶パネル９１１の外周端部を挟持する第２の挟持部４４ａと、第２の挟持部４４ａの外端部から裏側に向けて突出する第２の側壁部４４ｂとから構成される。これに伴い、フレーム９１３は、バックライト装置９１２の構成部品となっており、フレーム９１３の挟持部９２３ａとシャーシ９１５の板状部９１５ａとの間で、互いに積層された反射シート９１９、導光板９１８及び光学シート９２０を挟持している。特に、挟持部９２３ａは、光学シート９２０を表側から支持している。従って、本実施形態では、バックライト装置９１２の組み付けに際して、バックライト装置９１２の光学部材である反射シート９１９、導光板９１８及び光学シート９２０をシャーシ９１５の板状部９１５ａ上に積層して積層体を構成し、その積層体をフレーム９１３をなすフレーム本体９２３に対して一括して差し込んで組み付けることが可能とされる。そして、このバックライト装置９１２の組み付け作業中及び組み付けが完了した状態において、規制凸部９３３が規制凹部９３４に対して凹凸嵌合することで、一対の第１延在部９２５の開きが規制され、もって光学シート９２０が脱落し難くなっている。
【００９２】
＜実施形態１１＞
本発明の実施形態１１を図２２によって説明する。この実施形態１１では、表示パネルとして有機ＥＬパネル４６を備えた有機ＥＬ表示装置４５を示す。なお、上記した実施形態１と同様の構造、作用及び効果について重複する説明は省略する。
【００９３】
この有機ＥＬ表示装置４５は、図２２に示すように、自発光型の表示パネルである有機ＥＬパネル４６を備えている。このため、本実施形態に係る有機ＥＬ表示装置４５は、上記した実施形態１に記載したバックライト装置１２のような外部光源（照明装置）を備えていない。画像を表示可能な光学部材である有機ＥＬパネル４６は、フレーム１０１３の挟持部１０２３ａと、シャーシ１０１５の板状部１０１５ａとの間に挟持されている。組み付けに際しては、有機ＥＬパネル４６をシャーシ１０１５の板状部１０１５ａ上に載置した状態で、フレーム１０１３をなすフレーム本体１０２３に対して一括して差し込むようにすることが可能とされる。そして、この有機ＥＬ表示装置４５の組み付け作業中及び組み付けが完了した状態において、規制凸部１０３３が規制凹部１０３４に対して凹凸嵌合することで、一対の第１延在部１０２５の開きが規制され、もって有機ＥＬパネル４６が脱落し難くなっている。
【００９４】
＜他の実施形態＞
本発明は上記記述及び図面によって説明した実施形態に限定されるものではなく、例えば次のような実施形態も本発明の技術的範囲に含まれる。
（１）上記した各実施形態では、フレーム本体に対してシャーシに光学部材を積層してなる積層体を差し込むようにして組み付けを行う場合について例示したが、シャーシに光学部材を積層してなる積層体に対してフレーム本体を移動させる形で組み付けを行うようにしても構わない。
【００９５】
（２）上記した各実施形態以外にも、例えば一対の第１延在部のうちの一方に形成した規制凹部（規制凸部）と、他方に形成した規制凹部（規制凸部）とで、平面配置と、設置数と、Ｙ軸方向（第１延在部の延在方向）についての形成範囲と、断面形状との少なくともいずれか１つを異ならせることが可能である。シャーシに形成した対をなす規制凸部（規制凹部）に関しても同様に変更可能である。
【００９６】
（３）上記した各実施形態（実施形態８，９を除く）では、フレーム本体の各第１延在部に形成した規制凹部が、各第１延在部の全長にわたって形成された場合を示したが、規制凹部が各第１延在部の一部のみに形成される構成としたものも本発明に含まれる。
【００９７】
（４）上記した各実施形態以外にも、規制凸部及び規制凹部の具体的な平面配置、設置数、Ｙ軸方向（第１延在部の延在方向）についての形成範囲、断面形状などは適宜に変更することが可能である。
【００９８】
（５）上記した実施形態２において、フレーム側の案内面を省略することも可能である。
【００９９】
（６）上記した各実施形態に記載した技術事項を適宜に組み合わせることも可能である。その場合、平面配置、設置数、Ｙ軸方向（第１延在部の延在方向）についての形成範囲、断面形状などが互いに異なる規制凸部及び規制凹部を複数組設けることが可能である。
【０１００】
（７）上記した各実施形態では、フレーム本体が押し出し成形により成形された基材に曲げ加工などを施すことで製造された場合を示したが、フレーム本体の具体的な製造方法については適宜に変更することが可能である。例えば、各第１延在部及び第２延在部をそれぞれ別途に製造し、それら各延在部を溶接やねじ止めなどの手法を用いて相互に連結するようにしてフレーム本体を製造することも可能である。その場合、第２延在部から規制凹部を省略することができる。
【０１０１】
（８）上記した各実施形態では、規制構造が光学部材と平面に視て重畳する配置とされた場合を示したが、規制構造が光学部材とは平面に視て重畳せず、光学部材に対して外側に配置される構成を採ることも可能である。
【０１０２】
（９）上記した各実施形態では、フレームが金属製とされたものを示したが、フレームを合成樹脂製とすることも可能である。また、シャーシやバックキャビネットなどを合成樹脂製とすることも可能である。
【０１０３】
（１０）上記した実施形態１１では、自発光型の表示パネルとして有機ＥＬパネルを備えた有機ＥＬ表示装置について例示したが、それ以外にも、例えば自発光型の表示パネルとしてプラズマディスプレイパネルを備えたプラズマ表示装置にも本発明は同様に適用可能である。
【０１０４】
（１１）上記した各実施形態（実施形態１１を除く）では、導光板の外周端面のうち長辺側の一端面がＬＥＤと対向する光入射面とされた配置のものを示したが、導光板における短辺側の一端面が光入射面となるようＬＥＤ及びＬＥＤ基板を配置したものも本発明に含まれる。それ以外にも、導光板における長辺側の両端面または短辺側の両端面がそれぞれ光入射面となるようＬＥＤ及びＬＥＤ基板を配置してもよい。さらには、導光板における任意の３つの端面または４つの端面全てが光入射面となるようＬＥＤ及びＬＥＤ基板を配置してもよい。
【０１０５】
（１２）上記した各実施形態（実施形態１１を除く）では、外部光源であるバックライト装置を備えた透過型の液晶表示装置を例示したが、本発明は、バックライト装置からの光を利用して表示を行う透過表示と、外光を利用して表示を行う反射表示の両方の機能を備えた半透過型（反射透過両用型）液晶表示装置にも適用可能である。
【０１０６】
（１３）上記した各実施形態（実施形態１１を除く）では、液晶パネルが有するカラーフィルタの着色部をＲ，Ｇ，Ｂの３色としたものを例示したが、着色部を４色以上とすることも可能である。
【０１０７】
（１４）上記した各実施形態（実施形態１１を除く）では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１０８】
（１５）上記した各実施形態では、液晶表示装置または有機ＥＬ表示装置が横長の方形状をなす場合を示したが、縦長の方形状をなすものや正方形状をなすものも本発明に含まれる。
【符号の説明】
【０１０９】
１０，９１０…液晶表示装置（表示装置）、１１，２１１，９１１…液晶パネル（光学部材、表示パネル）、１２，９１２…バックライト装置（照明装置）、１３，９１３，１０１３…フレーム、１５，１１５，２１５，３１５，４１５，５１５，６１５，７１５，８１５，９１５，１０１５…シャーシ、１５ａ，１１５ａ，３１５ａ，４１５ａ，５１５ａ，６１５ａ，７１５ａ，８１５ａ，９１５ａ，１０１５ａ…板状部、１６…ＬＥＤ（光源）、１８，９１８…導光板（光学部材）、１９，９１９…反射シート（光学部材）、２０，９２０…光学シート（光学部材）、２３，２２３，４２３，５２３，７２３，９２３，１０２３…フレーム本体、２３ａ，２２３ａ，９２３ａ，１０２３ａ…挟持部、２３ｂ，２２３ｂ，７２３ｂ，９２３ｂ…受け部、２３ｄ…開口部、２４，２２４…連結延在部、２５，２２５，４２５，５２５，７２５，８２５，９２５，１０２５…第１延在部、２６，２２６…第２延在部、３２，７３２…規制構造、３３，１３３，３３３，４３３，５３３，６３３，９３３，１０３３…規制凸部、３３ａ…内側の板面（内側の対向面）、３３ｂ…外側の板面（外側の対向面）、３４，２３４，９３４，１０３４…規制凹部、３４ａ…内側の対向面、３４ｂ…外側の対向面、３５…案内面、３６…位置決め部、３８…凸部側案内面（案内面）、４２，８４２…規制凸部、４３，８４３…規制凹部、４５…有機ＥＬ表示装置（表示装置）、４６…有機ＥＬパネル（光学部材、表示パネル）、ＬＨ…光学部材保持構造、ＴＶ…テレビ受信装置
【図１】
2015022059.tif 000003
【図２】
2015022059.tif 000004
【図３】
2015022059.tif 000005
【図４】
2015022059.tif 000006
【図５】
2015022059.tif 000007
【図６】
2015022059.tif 000008
【図７】
2015022059.tif 000009
【図８】
2015022059.tif 000010
【図９】
2015022059.tif 000011
【図１０】
2015022059.tif 000012
【図１１】
2015022059.tif 000013
【図１２】
2015022059.tif 000014
【図１３】
2015022059.tif 000015
【図１４】
2015022059.tif 000016
【図１５】
2015022059.tif 000017
【図１６】
2015022059.tif 000018
【図１７】
2015022059.tif 000019
【図１８】
2015022059.tif 000020
【図１９】
2015022059.tif 000021
【図２０】
2015022059.tif 000022
【図２１】
2015022059.tif 000023
【図２２】
2015022059.tif 000024
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
方形の板状をなす光学部材と、
前記光学部材の板面に沿う板状部を有するシャーシと、
前記光学部材の外周端部に倣う形で枠状をなすとともに、前記シャーシの前記板状部との間で前記光学部材の外周端部を挟持するフレームであって、前記光学部材の外周端部に含まれる３つの辺部のうちの対辺をなす一対の辺部に沿って延在する一対の第１延在部と、前記一対の第１延在部における同じ側の端部に連なるとともに前記光学部材の前記３つの辺部のうちの前記一対の辺部に挟まれた辺部に沿って延在する第２延在部とからなるフレーム本体と、前記光学部材の外周端部のうちの前記３つの辺部を除いた残りの辺部に沿って延在するとともに前記フレーム本体をなす前記一対の第１延在部に対して連結される連結延在部とを有するフレームと、
前記フレーム本体をなす前記一対の第１延在部と前記シャーシとにそれぞれ設けられ、互いに凹凸嵌合することで前記一対の第１延在部が開くよう相対変位するのを規制する規制構造と、を備えており、
前記規制構造は、前記光学部材と重畳する位置に配されている光学部材保持構造。
【請求項２】
前記規制構造は、前記シャーシの前記板状部に形成されて前記光学部材側とは反対側に突出する規制凸部と、前記フレーム本体をなす前記一対の第１延在部に形成されて前記規制凸部を受け入れる規制凹部とからなる請求項１記載の光学部材保持構造。
【請求項３】
前記規制凸部は、前記シャーシの前記板状部における端部に配されている請求項１または請求項２記載の光学部材保持構造。
【請求項４】
前記フレーム本体は、前記シャーシの前記板状部との間で前記光学部材を挟持する挟持部と、前記シャーシの前記板状部を前記光学部材側とは反対側から受けることが可能な受け部と、前記一対の第１延在部における前記第２延在部側とは反対側の端部間に形成され、前記光学部材及び前記シャーシを、前記第１延在部の延在方向に沿って前記挟持部と前記受け部との間に差し込むことが可能な開口部とを有しており、
前記規制構造は、前記一対の第１延在部における前記開口部側の端部と、前記シャーシにおける前記一対の第１延在部に対する差し込み方向の前端部とに少なくとも配されている請求項１から請求項３のいずれか１項に記載の光学部材保持構造。
【請求項５】
前記規制構造は、前記一対の第１延在部と前記シャーシとのいずれか一方側に形成された規制凸部と、他方側に形成されて前記シャーシが前記開口部に差し込まれるのに伴って前記規制凸部を受け入れる規制凹部とから構成されており、
前記規制凸部と前記規制凹部との少なくともいずれか一方における相手側が導入される側の端部には、相手側の導入を案内する案内面が形成されている請求項４記載の光学部材保持構造。
【請求項６】
前記規制構造は、前記一対の第１延在部の延在方向についての中央部と、前記シャーシにおける前記一対の第１延在部の延在方向についての中央部とに少なくとも配されている請求項１から請求項５のいずれか１項に記載の光学部材保持構造。
【請求項７】
前記規制構造は、前記一対の第１延在部と前記シャーシとのいずれか一方側に形成された規制凸部と、他方側に形成されて前記規制凸部を受け入れる規制凹部とから構成されており、
前記規制凸部と前記規制凹部との対向面のうち、内側の対向面が互いに当接されるのに対し、外側の対向面が互いに離間する形で配されている請求項１から請求項６のいずれか１項に記載の光学部材保持構造。
【請求項８】
請求項１から請求項７のいずれか１項に記載の光学部材保持構造と、前記シャーシに収容されるとともに前記光学部材に光を供給する光源とを備える照明装置。
【請求項９】
前記光学部材には、少なくとも前記光源からの光を導光する導光板が含まれており、
前記光源は、前記シャーシにおいて前記第２延在部と前記連結延在部との少なくともいずれか一方と重なり合う位置に選択的に配される請求項８記載の照明装置。
【請求項１０】
前記シャーシには、前記一対の第１延在部の延在方向について前記光源に対して前記導光板を位置決めする位置決め部が設けられている請求項９記載の照明装置。
【請求項１１】
前記光源は、前記シャーシにおいて前記連結延在部と重なり合う位置に選択的に配される請求項９または請求項１０記載の照明装置。
【請求項１２】
請求項１から請求項７のいずれか１項に記載の光学部材保持構造と、前記光学部材に少なくとも含まれる表示パネルとを備える表示装置。
【請求項１３】
前記シャーシに収容される光源と、前記光学部材に少なくとも含まれるとともに前記光源からの光を導光する導光板とを少なくとも有してなる照明装置が備えられており、
前記表示パネル及び前記導光板の外周端部が前記シャーシと前記フレームとの間に挟持される請求項１２記載の表示装置。
【請求項１４】
請求項１２または請求項１３に記載の表示装置を備えるテレビ受信装置。